(57)【要約】  取扱いに関する利便性の向上を図る。  撮像装置と無線通信可能な通信部と、前記撮像装置との通信に基づいて前記撮像装置に関する情報を表示する表示制御部と、アクセサリーのロック部と係合可能にされアクセサリーに対して着脱可能にされた着脱部とを備えた。これにより、制御装置がアクセサリーにロックされた状態において撮像装置との間で無線接続可能にされると共に撮像装置に対する制御が可能にされるため、取扱いに関する利便性の向上を図ることができる。
2017115569.tif 000002
【特許請求の範囲】
【請求項１】
撮像装置と無線通信可能な通信部と、
前記撮像装置との通信に基づいて前記撮像装置に関する情報を表示する表示制御部と、
アクセサリーのロック部と係合可能にされ前記アクセサリーに対して着脱可能にされた着脱部とを備えた
制御装置。
【請求項２】
係合突部と係合凹部が形成され、
前記係合突部又は係合凹部の一方が前記着脱部として形成され、
前記係合突部又は係合凹部の他方が前記アクセサリーに形成された凹状部又は突状部に係合される
請求項１に記載の制御装置。
【請求項３】
前記表示制御部が配置された筐体が設けられ、
前記筐体には前記表示制御部が配置された本体部と前記本体部から突出され前記着脱部を有する被取付突部とが設けられ、
前記アクセサリーに取り付けられた状態において前記アクセサリーに形成された取付凹部に前記被取付突部が挿入される
請求項１に記載の制御装置。
【請求項４】
前記表示制御部が配置された筐体が設けられ、
前記筐体には前記表示制御部が配置された本体部と前記本体部から突出された被取付突部とが設けられ、
前記被取付突部に前記係合突部と前記係合凹部が形成され、
前記アクセサリーに取り付けられた状態において前記アクセサリーに形成された取付凹部に前記被取付突部が挿入される
請求項２に記載の制御装置。
【請求項５】
前記被取付突部には前記取付凹部の開口縁に摺動可能な被案内傾斜面が形成された
請求項３に記載の制御装置。
【請求項６】
前記アクセサリーに取り付けられた状態において前記アクセサリーの各一部に点接触される複数の接触部が設けられた
請求項１に記載の制御装置。
【請求項７】
前記表示制御部が配置された筐体が設けられ、
前記筐体には前記撮像装置に対して撮影動作を実行させる撮影釦を含む複数の操作釦が配置され、
前記表示制御部と前記撮影釦が前記筐体の同一の面に配置された
請求項２に記載の制御装置。
【請求項８】
前記撮影釦と他の操作釦とが前記筐体の異なる面に配置された
請求項７に記載の制御装置。
【請求項９】
前記操作釦が前記筐体の反対側の面にそれぞれ配置され、
前記反対側の面が同一の大きさ及び形状に形成され、
前記反対側の面のうち一方の面に配置された前記操作釦の前記一方の面に対する位置と前記反対側の面のうち他方の面に配置された前記操作釦の前記他方の面に対する位置とが異なる位置にされた
請求項７に記載の制御装置。
【請求項１０】
前記筐体の少なくとも一つの面が凹面に形成され、
前記凹面に少なくとも一つの前記操作釦が配置された
請求項７に記載の制御装置。
【請求項１１】
前記アクセサリーの端子部に接続される接続端子が設けられ、
前記アクセサリーに対してスライド可能にされ、
前記アクセサリーに対するスライド状態において前記接続端子が前記端子部に摺動可能にされた
請求項１に記載の制御装置。
【請求項１２】
前記アクセサリーには前記撮像装置が着脱可能にされるカメラ装着部と前記着脱部に係合されるロック部を有する装置取付部とが設けられ、
前記ロック部によって前記装置取付部にロックされる
請求項１に記載の制御装置。
【請求項１３】
前記アクセサリーには前記装置取付部を有する取着部が設けられ、
前記取着部が前記カメラ装着部を有する部分に対して着脱可能にされた
請求項１２に記載の制御装置。
【請求項１４】
前記アクセサリーに指で把持される持ち手部が設けられた
請求項１２に記載の制御装置。
【請求項１５】
前記装置取付部が前記カメラ装着部に対して回動可能にされ、
前記装置取付部の回動に伴って前記撮像装置に対する向きが変化される
請求項１４に記載の制御装置。
【請求項１６】
前記アクセサリーに水抜き孔が形成された
請求項１に記載の制御装置。
【請求項１７】
前記アクセサリーが身体の一部に取付可能にされ、
身体の一部に取り付けられた状態における身体に接する面側に、前記ロック部を有するロックレバーを動作させる摘子が設けられた
請求項１に記載の制御装置。
【請求項１８】
前記アクセサリーには弾性変形可能な弾性変形部が設けられ、
前記弾性変形部に前記ロック部が設けられた
請求項１に記載の制御装置。
【請求項１９】
ロック部を有するアクセサリーと、
撮像装置と無線通信可能な通信部と、前記撮像装置との通信に基づいて前記撮像装置に関する情報を表示する表示制御部と、前記ロック部と係合可能にされ前記アクセサリーに対して着脱可能にされた着脱部とを有する制御装置とを備えた
制御ユニット。
【請求項２０】
撮像機能を有する撮像装置と、
ロック部を有するアクセサリーと、
前記撮像装置と無線通信可能な通信部と、前記撮像装置との通信に基づいて前記撮像装置に関する情報を表示する表示制御部と、前記ロック部と係合可能にされ前記アクセサリーに対して着脱可能にされた着脱部とを有する制御装置とを備えた
撮像ユニット。
【発明の詳細な説明】
【技術分野】
【０００１】
本技術はアクセサリーへの取付が可能な制御装置及びこれを備えた撮像ユニットについての技術分野に関する。
【先行技術文献】
【特許文献】
【０００２】
【特許文献１】特開２０１２−７４９４５号公報
【特許文献２】特開２０１５−７３２１６号公報
【背景技術】
【０００３】
ビデオカメラやスチルカメラ等の各種の撮像装置にはアクセサリーに装着されて使用されるものがある（例えば、特許文献１及び特許文献２参照）。【０００４】
このようなアクセサリーを用いることにより、アクセサリーに撮像装置を装着し、例えば、ハイアングルやローアングル等の各種の撮影状態で撮像を行うことが可能である。アクセサリーを用いることにより撮影状態が多様化し、被写体を所望の方向や所望の角度で撮影することが可能になると共に撮影時における被写体の視認性を高めることができ、使い勝手の向上を図ることができる。【０００５】
特許文献１に記載された撮像装置は枠状のアクセサリーに装着されて使用される。アクセサリーが枠状にされているため、アクセサリーを把持し易く安定した撮影状態を確保することが可能である。【０００６】
特許文献２に記載された撮像装置はアクセサリーに対してスライド可能であり、撮像装置をアクセサリーに対してスライドさせることにより撮像装置のアクセサリーに対する角度を変更することができる。撮像装置のアクセサリーに対する角度を変更することにより、撮像装置を所望の向きにして撮影を行うことが可能であり、多様な撮影状態での撮影を行うことが可能である。【０００７】
一方、上記のように撮像装置がアクセサリーに装着された状態の他、撮像装置がアクセサリー以外の他の部品や部分に装着されている状態において、撮像装置に対して撮影動作の実行や停止等の制御をリモートコントロール装置等の制御装置によって行うことが可能であれば便利である。撮像装置がアクセサリー以外の他の部品や部分に装着されている状態の例としては、例えば、撮像装置が自転車や自動車等の車輌に装着されている例や撮像装置が腕や頭等の身体の一部や身体に取り付けられるベルトや帽子等の装身具に装着される例がある。
【発明の概要】
【発明が解決しようとする課題】
【０００８】
このように、撮像装置による撮影は、例えば、動きながらの撮影や自転車等の車輌に取り付けられた状態での撮影や身体に取り付けられた状態での撮影等のシーンや状況に応じて一層多様化されている。【０００９】
また、近年、撮像装置との間の無線通信等による撮影データの授受や撮像装置に対する撮影制御等をリモートコントロール装置等の制御装置によって行う例も増加している。【００１０】
従って、撮像装置が装着されるアクセサリーにおいては、上記のような撮影状態の多様化や制御装置等を用いた撮影状況に対応して機能性の向上が図られ、制御装置に関しては用途や使用状況等に適した取扱いが行われることが望まれている。【００１１】
そこで、本技術制御装置、制御ユニット及び撮像ユニットは、取扱いに関する利便性の向上を図ることを目的とする。
【課題を解決するための手段】
【００１２】
第１に、本技術に係るアクセサリーは、撮像装置と無線通信可能な通信部と、前記撮像装置との通信に基づいて前記撮像装置に関する情報を表示する表示制御部と、アクセサリーのロック部と係合可能にされ前記アクセサリーに対して着脱可能にされた着脱部とを備えたものである。【００１３】
これにより、アクセサリーにロックされた状態において撮像装置との間で無線接続可能にされると共に撮像装置に対する制御が可能にされる。【００１４】
第２に、上記したアクセサリーにおいては、係合突部と係合凹部が形成され、前記係合突部又は係合凹部の一方が前記着脱部として形成され、前記係合突部又は係合凹部の他方が前記アクセサリーに形成された凹状部又は突状部に係合されることが望ましい。【００１５】
これにより、係合突部と係合凹部がそれぞれ凹状部と突状部に対応する位置関係にある状態においてのみ制御装置がアクセサリーに取付可能になる。【００１６】
第３に、上記したアクセサリーにおいては、前記表示制御部が配置された筐体が設けられ、前記筐体には前記表示制御部が配置された本体部と前記本体部から突出され前記着脱部を有する被取付突部とが設けられ、前記アクセサリーに取り付けられた状態において前記アクセサリーに形成された取付凹部に前記被取付突部が挿入されることが望ましい。【００１７】
これにより、被取付突部が取付凹部に挿入された状態で制御装置がアクセサリーに取り付けられる。【００１８】
第４に、上記したアクセサリーにおいては、前記表示制御部が配置された筐体が設けられ、前記筐体には前記表示制御部が配置された本体部と前記本体部から突出された被取付突部とが設けられ、前記被取付突部に前記係合突部と前記係合凹部が形成され、前記アクセサリーに取り付けられた状態において前記アクセサリーに形成された取付凹部に前記被取付突部が挿入されることが望ましい。【００１９】
これにより、係合突部と係合凹部がアクセサリーによって閉塞される。【００２０】
第５に、上記したアクセサリーにおいては、前記被取付突部には前記取付凹部の開口縁に摺動可能な被案内傾斜面が形成されることが望ましい。【００２１】
これにより、制御装置のアクセサリーに対する取付時に被案内傾斜面が取付凹部の開口縁に摺動可能にされる。【００２２】
第６に、上記したアクセサリーにおいては、前記アクセサリーに取り付けられた状態において前記アクセサリーの各一部に点接触される複数の接触部が設けられることが望ましい。【００２３】
これにより、制御装置がアクセサリーに取り付けられた状態において、複数の接触部が点接触された状態で制御装置が支えられる。【００２４】
第７に、上記したアクセサリーにおいては、前記表示制御部が配置された筐体が設けられ、前記筐体には前記撮像装置に対して撮影動作を実行させる撮影釦を含む複数の操作釦が配置され、前記表示制御部と前記撮影釦が前記筐体の同一の面に配置されることが望ましい。【００２５】
これにより、撮影釦に対する操作による動作状態が撮影釦に近い位置に配置された表示制御部で確認可能になる。【００２６】
第８に、上記したアクセサリーにおいては、前記撮影釦と他の操作釦とが前記筐体の異なる面に配置されることが望ましい。【００２７】
これにより、表示制御部と最も関係性が高い撮影釦の操作時における意図しない他の釦に対する操作が行われ難い。【００２８】
第９に、上記したアクセサリーにおいては、前記操作釦が前記筐体の反対側の面にそれぞれ配置され、前記反対側の面が同一の大きさ及び形状に形成され、前記反対側の面のうち一方の面に配置された前記操作釦の前記一方の面に対する位置と前記反対側の面のうち他方の面に配置された前記操作釦の前記他方の面に対する位置とが異なる位置にされることが望ましい。【００２９】
これにより、一方の面に配置された操作釦と他方の面に配置された操作釦とが非対称な位置に配置される。【００３０】
第１０に、上記したアクセサリーにおいては、前記筐体の少なくとも一つの面が凹面に形成され、前記凹面に前記少なくとも一つの前記操作釦が配置されることが望ましい。【００３１】
これにより、凹面が机やテーブル等の載置面に対向した状態で載置されたときに凹面に配置された操作釦が載置面によって押圧され難い。【００３２】
第１１に、上記したアクセサリーにおいては、前記アクセサリーの端子部に接続される接続端子が設けられ、前記アクセサリーに対してスライド可能にされ、前記アクセサリーに対するスライド状態において前記接続端子が前記端子部に摺動可能にされることが望ましい。【００３３】
これにより、制御装置がスライドされてアクセサリーに取り付けられるときに、接続端子と端子部に付着されていた塵埃が摺動により除去される。【００３４】
第１２に、上記したアクセサリーにおいては、前記アクセサリーには前記撮像装置が着脱可能にされるカメラ装着部と前記着脱部に係合されるロック部を有する装置取付部とが設けられ、前記ロック部によって前記装置取付部にロックされることが望ましい。【００３５】
これにより、カメラ装着部に撮像装置が装着された状態で制御装置によって撮像装置に対する制御が可能になる。【００３６】
第１３に、上記したアクセサリーにおいては、前記アクセサリーには前記装置取付部を有する取着部が設けられ、前記取着部が前記カメラ装着部を有する部分に対して着脱可能にされることが望ましい。【００３７】
これにより、装置取付部を有する取着部がカメラ装着部を有する部分から取り外された状態において装置取付部に対する制御装置の取付が可能になる。【００３８】
第１４に、上記したアクセサリーにおいては、前記アクセサリーに指で把持される持ち手部が設けられることが望ましい。【００３９】
これにより、カメラ装着部に撮像装置が装着された状態で持ち手部を指で把持して制御装置を使用することが可能になる。【００４０】
第１５に、上記したアクセサリーにおいては、前記装置取付部が前記カメラ装着部に対して回動可能にされ、前記装置取付部の回動に伴って前記撮像装置に対する向きが変化されることが望ましい。【００４１】
これにより、装置取付部がカメラ装着部に対して回動されることにより制御装置の撮像装置に対する向きが変更される。【００４２】
第１６に、上記したアクセサリーにおいては、前記アクセサリーに水抜き孔が形成されることが望ましい。【００４３】
これにより、降雨の状況において水抜き孔から雨水が排出される。【００４４】
第１７に、上記したアクセサリーにおいては、前記アクセサリーが身体の一部に取付可能にされ、身体の一部に取り付けられた状態における身体に接する面側に、前記ロック部を有するロックレバーを動作させる摘子が設けられることが望ましい。【００４５】
これにより、アクセサリーが身体に取り付けられた状態において摘子に対する操作が不能になる。【００４６】
第１８に、上記したアクセサリーにおいては、前記アクセサリーには弾性変形可能な弾性変形部が設けられ、前記弾性変形部に前記ロック部が設けられることが望ましい。【００４７】
これにより、弾性変形部の変形に伴ってロック部が制御装置に係合される。【００４８】
第１９に、本技術に係る制御ユニットは、ロック部を有するアクセサリーと、撮像装置と無線通信可能な通信部と、前記撮像装置との通信に基づいて前記撮像装置に関する情報を表示する表示制御部と、前記ロック部と係合可能にされ前記アクセサリーに対して着脱可能にされた着脱部とを有する制御装置とを備えたものである。【００４９】
これにより、制御装置において、アクセサリーにロックされた状態において撮像装置との間で無線接続可能にされると共に撮像装置に対する制御が可能にされる。【００５０】
第２０に、本技術に係る撮像ユニットは、撮像機能を有する撮像装置と、ロック部を有するアクセサリーと、前記撮像装置と無線通信可能な通信部と、前記撮像装置との通信に基づいて前記撮像装置に関する情報を表示する表示制御部と、前記ロック部と係合可能にされ前記アクセサリーに対して着脱可能にされた着脱部とを有する制御装置とを備えたものである。【００５１】
これにより、制御装置において、アクセサリーにロックされた状態において撮像装置との間で無線接続可能にされると共に撮像装置に対する制御が可能にされる。
【発明の効果】
【００５２】
本技術によれば、制御装置がアクセサリーにロックされた状態において撮像装置との間で無線接続可能にされると共に撮像装置に対する制御が可能にされるため、取扱いに関する利便性の向上を図ることができる。【００５３】
尚、本明細書に記載された効果はあくまでも例示であって限定されるものではなく、他の効果があってもよい。
【図面の簡単な説明】
【００５４】
【図１】図２乃至図４４と共に本技術制御装置、制御ユニット及び撮像ユニットの実施の形態を示すものであり、本図は、撮像装置の斜視図である。
【図２】制御装置の斜視図である。
【図３】制御装置を図２とは異なる方向から見た状態で示す斜視図である。
【図４】制御装置の左側面図である。
【図５】制御装置の右側面図である。
【図６】制御装置の正面図である。
【図７】制御装置の背面図である。
【図８】制御装置の底面図である。
【図９】第１のアクセサリーの斜視図である。
【図１０】第１のアクセサリーの分解斜視図である。
【図１１】第１のアクセサリーの側面図である。
【図１２】第１のアクセサリーの平面図である。
【図１３】第１のアクセサリーの底面図である。
【図１４】図１１のＸＩＶ−ＸＩＶ線に沿う断面図である。
【図１５】第１のアクセサリーを有する撮像ユニットを撮像装置と制御装置とアクセサリーを分離して示す斜視図である。
【図１６】第１のアクセサリーを有する撮像ユニットの斜視図である。
【図１７】第１のアクセサリーを有する撮像ユニットの側面図である。
【図１８】第１のアクセサリーの持ち手部に指が挿入されてアクセサリーが把持された状態を示す側面図である。
【図１９】第１のアクセサリーの装置取付部が回動された状態を示す側面図である。
【図２０】第２のアクセサリーを有する制御ユニットを制御装置とアクセサリーを分離して示す斜視図である。
【図２１】第２のアクセサリーを有する制御ユニットを制御装置とアクセサリーを分離して図２０とは異なる方向から見た状態で示す斜視図である。
【図２２】第２のアクセサリーを有する制御ユニットを示す斜視図である。
【図２３】第３のアクセサリーを有する制御ユニットを制御装置とアクセサリーを分離して示す斜視図である。
【図２４】第３のアクセサリーを有する制御ユニットを制御装置とアクセサリーを分離して図２３とは異なる方向から見た状態で示す斜視図である。
【図２５】第３のアクセサリーの底面図である。
【図２６】第３のアクセサリーにベルトが取り付けられた状態を示す側面図である。
【図２７】ロック機構の斜視図である。
【図２８】制御装置に対するロックが行われている状態を一部を断面にして示す平面図である。
【図２９】第３のアクセサリーを有する制御ユニットを示す斜視図である。
【図３０】ロックレバーが回動されて制御装置に対するロックが解除された状態を一部を断面にして示す平面図である。
【図３１】第４のアクセサリーを有する制御ユニットを制御装置とアクセサリーを分離して示す斜視図である。
【図３２】第４のアクセサリーを有する制御ユニットを制御装置とアクセサリーを分離して図３１とは異なる方向から見た状態で示す斜視図である。
【図３３】第４のアクセサリーを有する制御ユニットにおいて着脱部が本体から取り外された状態を示す斜視図である。
【図３４】第４のアクセサリーを有する撮像ユニットが三脚として用いられている状態を示す斜視図である。
【図３５】第４のアクセサリーを有する制御ユニットを示す斜視図である。
【図３６】第５のアクセサリーを有する制御ユニットを制御装置とアクセサリーを分離して示す斜視図である。
【図３７】第５のアクセサリーを有する制御ユニットを制御装置とアクセサリーを分離して図３６とは異なる方向から見た状態で示す斜視図である。
【図３８】第５のアクセサリーを示す底面図である。
【図３９】第５のアクセサリーの第１のベルトの一部を示す拡大断面図である。
【図４０】第５のアクセサリーの第２のベルトの一部を示す拡大断面図である。
【図４１】第５のアクセサリーを有する制御ユニットを示す斜視図である。
【図４２】第５のアクセサリーにおいて第２のベルトが第１のベルトのベルト挿入孔に挿入された状態を示す拡大断面図である。
【図４３】図４２に引き続き、第５のアクセサリーにおいて第２のベルトが止め輪に挿入された状態を示す拡大断面図である。
【図４４】図４３に引き続き、第５のアクセサリーにおいて第２のベルトの止め孔に第１のベルトの止め突部が挿入された状態を示す拡大断面図である。
【発明を実施するための形態】
【００５５】
以下に、本技術を実施するための形態を添付図面を参照して説明する。
【００５６】
以下に示す実施の形態に係る制御装置は表示制御部と撮影釦を有しており、以下の説明にあっては、表示制御部が向く方向を上方とし、表示制御部と撮影釦が並ぶ方向を前後方向とし、表示制御部と撮影釦の位置関係において表示制御部側を前方として前後上下左右の方向を示すものとする。
【００５７】
尚、以下に示す前後上下左右の方向は説明の便宜上のものであり、本技術の実施に関しては、これらの方向に限定されることはない。
【００５８】
＜撮像装置の構成等＞
先ず、撮像装置１５０の概略構成について説明する（図１参照）。撮像装置１５０は後述するアクセサリーに装着されて使用され、又は、アクセサリーに装着されずアクセサリー以外の他の部品や部分に装着されて使用される。
【００５９】
撮像装置１５０は、例えば、ビデオカメラであり前後の長さが上下左右の長さより長くされている。撮像装置１５０はカメラ本体１５１とカメラ本体１５１の前面における上側の部分から前方に突出された撮像部１５２とを有している。カメラ本体１５１は垂直断面形状が、例えば、縦長の小判状に形成されている。
【００６０】
カメラ本体１５１の上面には前側から順に電源釦１５１ａと切替摘子１５１ｂと点灯部１５１ｃが配置されている。切替摘子１５１ｂは、例えば、後述する制御装置との間での無線通信の可否を切り替える操作部であり、点灯部１５１ｃは電源釦１５１ａが押圧操作されて電源が投入されたときに点灯され撮像装置１５０が駆動状態にあることの認識を行うためのものである。
【００６１】
カメラ本体１５１の後端部には下方に開口された嵌合穴１５１ｄが形成されている。嵌合穴１５１ｄは、例えば、三脚に取り付けられるときに三脚に設けられた位置決めピンや取付ネジが挿入される位置決め穴である。
【００６２】
＜制御装置の構成等＞
次に、制御装置２００の構成について説明する（図２乃至図８参照）。制御装置２００はアクセサリーに取り付けられて使用される。但し、制御装置２００はアクセサリーに取り付けられない状態、例えば、手で把持した状態等においても使用することが可能である。
【００６３】
制御装置２００は、例えば、リモートコントロール装置であり、撮像装置１５０との間で無線接続可能にされると共に撮像装置１５０に対して各種の制御を行う機能を有している。制御装置２００を用いることにより、例えば、撮像装置１５０によって撮影されている画像や映像の表示、撮像装置１５０に対する各種の撮影モードや撮影状態の設定や変更等を行うことができる。
【００６４】
尚、制御装置２００は撮像装置１５０に対する制御の他に、例えば、携帯情報端末やコンピューター等に対する制御やこれらの機器との間のデータの送受信等を行うことができるものであってもよい。
【００６５】
制御装置２００における信号の送受信は、有線通信、無線ＬＡＮ（Local Area Network）や近距離無線通信を含む無線通信等の何れの通信手段によって行われてもよく、これらの信号の送受信を含む通信機能が内部に設けられた通信部によって行われる。
【００６６】
制御装置２００は筐体２０１と表示制御部２０２と操作部２０３、２０３、・・・を有している。
【００６７】
筐体２０１は扁平な略矩形状に形成された本体部２０４と本体部２０４の左右両端部を除く部分から下方に膨出された被取付突部２０５とを有している。
【００６８】
本体部２０４は、前端部が前方に凸の半円柱状に形成され、後端部が後方に凸の半円柱状に形成されている。本体部２０４は、左右両端部がそれぞれ側方に開口された浅い凹状に形成され、左側面が第１の凹面２０４ａとして形成され、右側面が第２の凹面２０４ｂとして形成されている。第１の凹面２０４ａと第２の凹面２０４ｂは大きさ及び形状が同じにされている。
【００６９】
被取付突部２０５の前後両端部における各表面は外方に凸の円弧面に形成され、前端部における表面は摺接面２０６として形成されている。
【００７０】
被取付突部２０５の前端部には前方に開口され左右に延びる係合凹部２０５ａが形成されている。係合凹部２０５ａは着脱部（被ロック部）として形成され、摺接面２０６の上縁に連続して形成されている（図５及び図７参照）。被取付突部２０５の後端部には後方に突出され左右に延びる係合突部２０５ｂが設けられている。被取付突部２０５の前後方向における中央部には左方に突出された端子用突部２０５ｃが設けられている。
【００７１】
被取付突部２０５の左右両側面はそれぞれ被案内傾斜面２０７、２０８として形成されている（図６及び図８参照）。被案内傾斜面２０７、２０８は下方へ行くに従って互いに近付く方向へ変位するように緩やかに傾斜されている。
【００７２】
左側の被案内傾斜面２０７には端子用突部２０５ｃの前後両側に第１の接触部２０７ａ、２０７ａが形成されている。第１の接触部２０７ａ、２０７ａは浅い凹状に形成されている。
【００７３】
右側の被案内傾斜面２０８には前後に延びる第２の接触部２０８ａが形成されている。第２の接触部２０８ａは浅い凹状に形成されている。
【００７４】
被取付突部２０５には端子用突部２０５ｃに接続端子２０９、２０９、・・・が前後に並んで設けられている（図４及び図８参照）。接続端子２０９、２０９、・・・は被取付突部２０５の下面２０５ｄより上側に位置されている。
【００７５】
表示制御部２０２は本体部２０４の上面２０４ｃに配置されている（図２及び図３参照）。表示制御部２０２には撮像装置１５０によって撮影されている画像や映像の他、撮像装置１５０の駆動状態や設定されているモード等の各種の情報が表示可能にされている。
【００７６】
操作部２０３、２０３、・・・は、例えば、本体部２０４の上面２０４ｃや左右両側面である第１の凹面２０４ａと第２の凹面２０４ｂに配置されている（図２乃至図５参照）。操作部２０３、２０３、・・・としては、例えば、撮影釦２０３ａ、電源釦２０３ｂ、メニュー表示釦２０３ｃ、メニュー選択釦２０３ｄ、２０３ｄが設けられている。
【００７７】
撮影釦２０３ａは、例えば、上面２０４ｃにおいて表示制御部２０２の後側に配置されている。撮影釦２０３ａを操作することにより、例えば、静止画撮影を行うことができる。尚、撮影釦２０３ａを操作することにより、例えば、静止画撮影の他に動画撮影を行うことができる構成にされていてもよい。また、撮影釦２０３ａは電源釦２０３ｂと共通の釦として設けられていてもよい。電源釦２０３ｂとメニュー表示釦２０３ｃは、例えば、第１の凹面２０４ａに前後に離隔して配置されている。メニュー選択釦２０３ｄ、２０３ｄは、例えば、第２の凹面２０４ｂに前後に離隔して配置されている。
【００７８】
電源釦２０３ｂとメニュー表示釦２０３ｃの距離はメニュー選択釦２０３ｄ、２０３ｄ間の距離より大きくされ、第１の凹面２０４ａに対する電源釦２０３ｂとメニュー表示釦２０３ｃの位置が第２の凹面２０４ｂに対するメニュー選択釦２０３ｄ、２０３ｄの位置に対して異なるようにされている。
【００７９】
上記のように、制御装置２００には複数の操作釦２０３、２０３、・・・が設けられ、表示制御部２０２と撮影釦２０３ａが筐体２０１の同一の面に配置されている。
【００８０】
従って、画像や映像の表示が可能な表示制御部２０２と画像や映像の撮影動作を実行させる撮影釦２０３ａとが同一の面に配置されるため、撮影釦２０３ａに対する操作による動作状態を撮影釦２０３ａに近い位置に配置された表示制御部２０２で確認することができ、制御装置２００の使い勝手の向上を図ることができる。
【００８１】
また、撮影釦２０３ａと他の操作釦である電源釦２０３ｂ、メニュー表示釦２０３ｃ及びメニュー選択釦２０３ｄ、２０３ｄとが筐体２０１の異なる面に配置されている。
【００８２】
従って、表示制御部２０２と最も関係性が高く使用頻度の高い撮影釦２０３ａと他の釦とが異なる面に配置されるため、使用頻度の高い撮影釦２０３ａの操作時に意図せず他の釦を操作することがなく、誤操作を防止することができる。
【００８３】
さらに、第１の凹面２０４ａに対する電源釦２０３ｂとメニュー表示釦２０３ｃの位置が第２の凹面２０４ｂに対するメニュー選択釦２０３ｄ、２０３ｄの位置に対して異なるようにされている。
【００８４】
従って、第１の凹面２０４ａに配置された電源釦２０３ｂ及びメニュー表示釦２０３ｃと第２の凹面２０４ｂに配置されたメニュー選択釦２０３ｄ、２０３ｄとが非対称な位置に配置され、第１の凹面２０４ａと第２の凹面２０４ｂを各指で把持した状態において第１の凹面２０４ａに配置された操作釦２０３、２０３と第２の凹面２０４ｂに配置された操作釦２０３、２０３とが同時に操作され難く、誤操作の発生を抑制することができる。
【００８５】
さらにまた、筐体２０１に第１の凹面２０４ａと第２の凹面２０４ｂが形成され、第１の凹面２０４ａと第２の凹面２０４ｂに操作釦２０３、２０３、・・・が配置されているため、第１の凹面２０４ａと第２の凹面２０４ｂに形成された操作釦２０３、２０３、・・・の筐体２０１からの突出量が小さくなる。
【００８６】
従って、第１の凹面２０４ａ又は第２の凹面２０４ｂが机やテーブル等の載置面（上面）に対向した状態で載置されたときに第１の凹面２０４ａと第２の凹面２０４ｂに配置された操作釦２０３、２０３、・・・が載置面によって押圧され難く、制御装置２００が載置面に載置された状態における誤操作の発生を抑制することができる。
【００８７】
特に、電源釦２０３ｂは筐体２０１の左端から左方に突出しない大きさに形成されており（図８参照）、第１の凹面２０４ａが載置面に対向した状態で載置されたときに電源釦２０３ｂが載置面によって押圧されることがなく、意図しない電源の投入及び遮断を防止することができる。
【００８８】
本体部２０４の上面２０４ｃには撮影釦２０３ａの近傍に第１の発光部２１０が配置されている（図２及び図３参照）。第１の発光部２１０は撮影釦２０３ａの操作時に発光され、第１の発光部２１０の発光により撮像装置１５０が撮影状態にあることを認識することができる。
【００８９】
本体部２０４の第１の凹面２０４ａには電源釦２０３ｂとメニュー表示釦２０３ｃの間に第２の発光部２１１が配置されている（図２及び図４参照）。第２の発光部２１１は電源釦２０３ｂの操作時に発光され、第２の発光部２１１の発光により制御装置２００が駆動状態にあることを認識することができる。
【００９０】
＜アクセサリーの構成等＞
以下に、アクセサリーの構成等について説明する。制御装置２００が取り付けられるアクセサリーとしては、例えば、第１のアクセサリー１Ａ、第２のアクセサリー１Ｂ、第３のアクセサリー１Ｃ、第４のアクセサリー１Ｄ又は第５のアクセサリー１Ｅが用いられる。
【００９１】
先ず、第１のアクセサリー１Ａの構成等について説明する（図９乃至図１６参照）。
【００９２】
第１のアクセサリー１Ａはベース部材２と可動部材３と回動部材４と固定部材５とロック部材６を有している（図９乃至図１４参照）。
【００９３】
ベース部材２は前後方向を向く略平板状の連結面部７と連結面部７の上端部から前方に突出された第１の押さえ部８と連結面部７の下端部から前方に突出された第２の押さえ部９と連結面部７から略後方に突出された突状部１０と突状部１０の上側に連続して設けられた支持部１１とを有している。
【００９４】
連結面部７は縦長の形状に形成され上縁部が上方に凸の半円弧状に形成されている。
【００９５】
第１の押さえ部８は左右方向における中央部が最も上方に位置された上方に凸の緩やかな円弧面状に形成されている。第１の押さえ部８には臨ませ孔８ａが形成されている。
【００９６】
第２の押さえ部９は第１の押さえ部８に対向して位置され、第１の押さえ部８より前後方向における大きさが大きくされ、前端が第１の押さえ部８の前端より前方に位置されている。
【００９７】
第２の押さえ部９の上側の面は、左右方向における中央部が最も下方に位置された下方に凸の緩やかな円弧面９ａとして形成されている。
【００９８】
突状部１０は連結面部７の上端寄りの位置から後斜め下方に突出された支え部１０ａと支え部１０ａの後端から後斜め下方に突出されたサポート突部１０ｂと支え部１０ａの左右両端部からそれぞれ下方に突出された脚部１０ｃ、１０ｃとから成る。脚部１０ｃ、１０ｃはそれぞれ前端が連結面部７の左右両端部に連続されている。
【００９９】
ベース部材２には突状部１０から連結面部７に亘る部分に支持孔２ａが形成されている。支持孔２ａは前後に貫通され下方に開口されている。
【０１００】
支持部１１は左右に貫通された略円環状に形成され、連結面部７の略上半部から突状部１０の支え部１０ａに亘る位置に連続されて設けられている。支持部１１は外側円環面部１２と内側円環面部１３を有し、内側円環面部１３が外側円環面部１２の左端部から左方に突出されている（図１０及び図１４参照）。
【０１０１】
内側円環面部１３は外側円環面部１２の内周側に位置され、外側円環面部１２の左側面と内側円環面部１３の右側面がそれぞれ段差面として形成され、これらの段差面が外側段差面１２ａと内側段差面１３ａとされている。
【０１０２】
外側円環面部１２には内方に突出されたストッパー突部１２ｂ、１２ｂが周方向に離隔して設けられている。ストッパー突部１２ｂ、１２ｂは外側段差面１２ａと内側円環面部１３に連続した位置に設けられている。
【０１０３】
ベース部材２における連結面部７の前面にはクッション１４が貼り付けられている（図１４参照）。
【０１０４】
可動部材３は装置取付部１５とリング部１６が一体に形成されて成る（図９乃至図１４参照）。
【０１０５】
装置取付部１５は略上下方向を向く平板状の受け面部１７と受け面部１７の前端に連続された弾性変形部１８と受け面部１７の後端に連続された取付突部１９とを有している。
【０１０６】
受け面部１７の左右両端部はそれぞれ他の部分より上方に突出された受け突部２０、２１として設けられている。左側の受け突部２０は前後両端部が他の部分から右方に突出された形状に形成され、右端部がそれぞれ支え突起２０ａ、２０ａとして設けられている。受け突部２０の右側の空間は右方及び上方に開口された配置凹部２０ｂとして形成されている。右側の受け突部２１の左側部には支え突起２１ａ、２１ａが前後に離隔して設けられている。
【０１０７】
装置取付部１５には受け突部２０、２１の間に上方に開口された凹部が形成され、この凹部が取付凹部１５ａとして形成されている。
【０１０８】
弾性変形部１８は受け面部１７の左右両端部を除く部分に連続され、上下方向を向く平板状の連設部２２と連設部２２の前端部から上方に突出されるように屈曲された押さえ突部２３と押さえ突部２３の上端部から前方に突出された横長の被操作部２４とから成る。
【０１０９】
連設部２２と受け突部２０、２１の前端部との間にはそれぞれ前方に開口されたスリット２５、２５が形成されている。従って、弾性変形部１８は受け面部１７に対して前端部が上下に変位される方向へ弾性変形可能にされている。
【０１１０】
押さえ突部２３の後面には後方に突出され左右に延びるロック部２３ａが設けられている。
【０１１１】
被操作部２４の上面における前端部には上方に突出され左右に延びる滑り止め突部２４ａが設けられている。被操作部２４は下方へ押圧されて弾性変形部１８を弾性変形させるための部分である。
【０１１２】
取付突部１９の前面には左右に延びる係合溝１９ａが形成されている。取付突部１９の上端部は指掛け操作部１９ｂとして設けられている。指掛け操作部１９ｂは一部が後方に突出されている。指掛け操作部１９ｂは指が宛がわれて操作される機能を有し、指掛け操作部１９ｂが操作されることにより可動部材３がベース部材２に対して回動される。
【０１１３】
リング部１６は左右に貫通された略円環状に形成され、上端部が受け面部１７の下端部に連続されている。リング部１６は左右両端部を除く部分が内方に膨出された膨出部２６として設けられている（図１０及び図１４参照）。
【０１１４】
膨出部２６には左方及び内方に開口された位置決め凹部２６ａ、２６ａが周方向に離隔して形成されている。膨出部２６には左右及び内方に開口された挿入用凹部２６ｂ、２６ｂが周方向に離隔して形成されている。
【０１１５】
可動部材３はリング部１６が支持部１１に左方から結合されてベース部材２に回動自在に支持される。可動部材３がベース部材２に支持された状態において、リング部１６は、右端面が支持部１１の外側円環面部１２に形成された外側段差面１２ａに対向して位置され、膨出部２６の右端面が支持部１１における内側円環面部１３の左端面に対向して位置される。
【０１１６】
回動部材４は左右に貫通された略円環状に形成され、円環部２７と円環部２７の左端部から外方に張り出された外フランジ部２８と円環部２７の左端部から内方に張り出された内フランジ部２９と円環部２７から右方に突出された摺動係合部３０、３０とを有している。
【０１１７】
外フランジ部２８には右方に突出された位置決め突部２８ａ、２８ａが周方向に離隔して設けられている。
【０１１８】
摺動係合部３０、３０は周方向に離隔して設けられ、先端部に外方に突出された係合爪３０ａ、３０ａを有している。
【０１１９】
回動部材４は可動部材３のリング部１６に左方から結合される。回動部材４のリング部１６への結合は位置決め突部２８ａ、２８ａがそれぞれ膨出部２６に形成された位置決め凹部２６ａ、２６ａに挿入されて位置決めされ、摺動係合部３０、３０がそれぞれ膨出部２６に形成された挿入用凹部２６ｂ、２６ｂを挿通されてリング部１６から右方に突出されることにより行われる。このときリング部１６から右方に突出された摺動係合部３０、３０は係合爪３０ａ、３０ａがベース部材２の内側円環面部１３に摺接して弾性変形され、内側円環面部１３を乗り越えたところで弾性復帰されて係合爪３０ａ、３０ａが内側段差面１３ａに係合される。回動部材４は外フランジ部２８の右側面が膨出部２６の左側面に対向して位置され、膨出部２６の左右両側に回動部材４の外フランジ部２８とベース部材２の内側円環面部１３とが位置される。
【０１２０】
このようにリング部１６における膨出部２６の左右両側に回動部材４の外フランジ部２８とベース部材２の内側円環面部１３とが位置されると共に係合爪３０ａ、３０ａが内側段差面１３ａに係合されることにより、リング部１６と回動部材４の支持部１１からの脱落が防止される。回動部材４は位置決め突部２８ａ、２８ａがそれぞれ位置決め凹部２６ａ、２６ａに挿入されているため、ベース部材２に対して可動部材３と一体になってリング部１６を支点として回動される。
【０１２１】
可動部材３と回動部材４は係合爪３０ａ、３０ａがそれぞれ支持部１１に設けられたストッパー突部１２ｂ、１２ｂに接触する範囲でベース部材２に対して回動可能にされている。
【０１２２】
固定部材５はゴム材料又は樹脂材料によって左右に貫通された略円環状に形成され、指宛部３１と指宛部３１の右端部から外方に張り出された鍔部３２とを有している（図１０参照）。
【０１２３】
指宛部３１の外面側には周方向に延びる取付溝３１ａが形成されている。
【０１２４】
指宛部３１の取付溝３１ａにはオーリング３３が挿入されて取り付けられる。オーリング３３は、例えば、ゴム材料によって形成されている。
【０１２５】
固定部材５はベース部材２の支持部１１に右方から挿入され、圧入や接着等によって支持部１１に固定される。固定部材５が支持部１１に固定された状態においては、鍔部３２が外側円環面部１２における右端部の内周側に位置され、指宛部３１の左半部が回動部材４における円環部２７の内周側に位置され、指宛部３１の左端面が回動部材４における内フランジ部２９の右側面に対向して位置される。このとき円環部２７の内周面にオーリング３３が内側から押し当てられ、円環部２７とオーリング３３の間にフリクションが生じる。
【０１２６】
ロック部材６はベース部材２に形成された支持孔２ａに下方から挿入されてベース部材２に上下方向へ移動自在に支持されている。ロック部材６の前端部には上方に突出された嵌合突部６ａが設けられている。
【０１２７】
上記のように構成された第１のアクセサリー１Ａにおいて、図９及び図１０に示すように、ベース部材２の連結面部７と第１の押さえ部８と第２の押さえ部９は撮像装置１５０が着脱可能にされるカメラ装着部３４として機能し、可動部材３の装置取付部１５は制御装置２００が取り付けられる部分として設けられる。また、ベース部材２の支持部１１と可動部材３のリング部１６と回動部材４と固定部材５は指で把持される持ち手部３５として機能する。持ち手部３５は環状に形成されており、持ち手部３５の内部空間は指が挿入される挿入孔３５ａとして形成される。
【０１２８】
また、第１のアクセサリー１Ａにおいては、撮像装置１５０がカメラ装着部３４に装着され制御装置２００が装置取付部１５に取り付けられることにより、第１のアクセサリー１Ａと撮像装置１５０と制御装置２００によって撮像ユニット３００Ａが構成される（図１５及び図１６参照）。
【０１２９】
さらに、第１のアクセサリー１Ａにおいて、撮像装置１５０がカメラ装着部３４に装着されない状態において制御装置２００が装置取付部１５に取り付けられることにより、第１のアクセサリー１Ａと制御装置２００によって制御ユニット４００Ａが構成される。
【０１３０】
以下に、第１のアクセサリー１Ａに対する撮像装置１５０の装着について説明する。
【０１３１】
撮像装置１５０は第１のアクセサリー１Ａに対してカメラ本体１５１の後端部が第１の押さえ部８と第２の押さえ部９の間に前方から挿入され、第１の押さえ部８と第２の押さえ部９によって上下から押さえられることによりカメラ装着部３４に装着される（図１６参照）。撮像装置１５０がカメラ装着部３４に装着された状態においては、カメラ本体１５１の後面が連結面部７の前面に貼り付けられたクッション１４に押し当てられ、カメラ本体１５１の傷付きと撮像装置１５０のカメラ装着部３４に対するガタツキが抑制される。
【０１３２】
撮像装置１５０がカメラ装着部３４に装着された状態においては、撮像装置１５０の電源釦１５１ａが第１の押さえ部８の前方に位置され、第１の押さえ部８に形成された臨ませ孔８ａに切替摘子１５１ｂと点灯部１５１ｃが位置される。従って、使用者は撮像装置１５０がカメラ装着部３４に装着された状態において、電源釦１５１ａを操作することができると共に臨ませ孔８ａを介して切替摘子１５１ｂに対する操作と点灯部１５１ｃの状態の視認とを行うことができる。
【０１３３】
撮像装置１５０がカメラ装着部３４に装着された状態において、下方へ移動されていたロック部材６が操作されて上方に移動されると、ロック部材６の嵌合突部６ａがカメラ本体１５１に形成された嵌合穴１５１ｄに嵌合され、撮像装置１５０がカメラ装着部３４においてロックされる。逆に、撮像装置１５０がカメラ装着部３４に装着されている状態において、ロック部材６が操作されて下方に移動されると、ロック部材６の嵌合突部６ａがカメラ本体１５１に形成された嵌合穴１５１ｄから引き出され、撮像装置１５０をカメラ装着部３４から前方に引き出すことにより第１のアクセサリー１Ａから取り外すことが可能になる。
【０１３４】
次に、第１のアクセサリー１Ａに対する制御装置２００の取付について説明する。
【０１３５】
制御装置２００は第１のアクセサリー１Ａに対して押さえ突部２３と取付突部１９の間に前上がりに傾斜された状態で上方から挿入され、係合溝１９ａに係合突部２０５ｂが挿入される。係合溝１９ａに係合突部２０５ｂが挿入された状態において、前端部が下方に押圧されると押さえ突部２３のロック部２３ａに被取付突部２０５の摺接面２０６が摺接され、押さえ突部２３と被操作部２４が下方に変位される方向へ弾性変形部１８が弾性変形される。
【０１３６】
このとき制御装置２００の被取付突部２０５には被案内傾斜面２０７、２０８が形成されており、制御装置２００の前端部が下方に押圧されるときに被案内傾斜面２０７、２０８がそれぞれ受け突部２０、２１の内縁に摺動可能であり被取付突部２０５が装置取付部１５の取付凹部１５ａに挿入される。
【０１３７】
従って、被取付突部２０５の取付凹部１５ａへの挿入を容易かつ確実に行うことができる。
【０１３８】
上記のように、弾性変形部１８が弾性変形された状態において、係合凹部２０５ａがロック部２３ａに一致されると弾性変形部１８が弾性復帰されて係合凹部２０５ａにロック部２３ａが挿入されて係合され、制御装置２００が装置取付部１５に取り付けられる。
【０１３９】
制御装置２００は第１のアクセサリー１Ａに取り付けられた状態において、第１のアクセサリー１Ａに形成された取付凹部１５ａに被取付突部２０５が挿入される。
【０１４０】
従って、被取付突部２０５が取付凹部１５ａに挿入された状態で第１のアクセサリー１Ａに取り付けられるため第１のアクセサリー１Ａに対する安定した取付状態を確保することができると共に本体部２０４が取付凹部１５ａに挿入されないため表示制御部２０２に対する良好な視認性を確保することができる。
【０１４１】
特に、被取付突部２０５が取付凹部１５ａに挿入されているため、制御装置２００が第１のアクセサリー１Ａに対してスライドし難く、制御装置２００の第１のアクセサリー１Ａからの脱落を防止することができる。
【０１４２】
また、被取付突部２０５が取付凹部１５ａに挿入されるため、第１のアクセサリー１Ａの全体としての小型化を図ることができる。
【０１４３】
さらに、被取付突部２０５に係合突部２０５ｂと係合凹部２０５ａが形成され、第１のアクセサリー１Ａに取り付けられた状態において取付凹部１５ａに被取付突部２０５が挿入されている。
【０１４４】
従って、被取付突部２０５が取付凹部１５ａに挿入された状態で第１のアクセサリー１Ａに取り付けられるため、係合突部２０５ｂと係合凹部２０５ａが第１のアクセサリー１Ａによって閉塞され、制御装置２００が第１のアクセサリー１Ａに取り付けられた状態において係合突部２０５ｂと係合凹部２０５ａに手が誤って接触することがなく、制御装置２００の第１のアクセサリー１Ａからの意図しない脱落を防止することができる。
【０１４５】
さらにまた、制御装置２００は、係合突部２０５ｂが凹状部である係合溝１９ａに係合され係合凹部２０５ａが第１のアクセサリー１Ａの突状部であるロック部２３ａに係合されて第１のアクセサリー１Ａに取り付けられる。
【０１４６】
従って、係合突部２０５ｂと係合凹部２０５ａがそれぞれ係合溝１９ａとロック部２３ａに対応する位置関係にある状態においてのみ第１のアクセサリー１Ａに取付可能であるため、第１のアクセサリー１Ａに対して常に所定の向きで取り付けられ、第１のアクセサリー１Ａに対する誤った向きでの取付を防止することができる。
【０１４７】
制御装置２００が装置取付部１５に取り付けられた状態においては、受け突部２０の支え突起２０ａ、２０ａがそれぞれ第１の接触部２０７ａ、２０７ａに接し、受け突部２１の支え突起２１ａ、２１ａが第２の接触部２０８ａに接した状態にされる。
【０１４８】
従って、筐体２０１が支え突起２０ａ、２０ａ、２１ａ、２１ａによって４箇所で点接触された状態で支えられ、制御装置２００の装置取付部１５に対するガタツキが防止され、制御装置２００が装置取付部１５に安定した状態で取り付けられる。
【０１４９】
また、このとき被取付突部２０５の端子用突部２０５ｃが受け突部２０によって形成された配置凹部２０ｂに挿入される。従って、接続端子２０９、２０９、・・・には装置取付部１５の何れの部分も接触されず、接続端子２０９、２０９、・・・の傷付きや損傷を防止することができる。
【０１５０】
制御装置２００が装置取付部１５に取り付けられた状態において、被操作部２４が下方に押圧操作されると、押さえ突部２３と被操作部２４が下方に変位される方向へ弾性変形部１８が弾性変形され、係合凹部２０５ａに対するロック部２３ａの係合が解除される。従って、係合溝１９ａから係合突部２０５ｂを引き出して制御装置２００を装置取付部１５から上方に持ち上げることにより、制御装置２００を第１のアクセサリー１Ａから取り外すことが可能になる。
【０１５１】
上記のように、第１のアクセサリー１Ａの装置取付部１５には、制御装置２００が取り付けられるときに弾性変形される弾性変形部１８が設けられ、弾性変形部１８に制御装置２００と係合されるロック部２３ａが設けられている。
【０１５２】
従って、弾性変形部１８の変形に伴ってロック部２３ａが制御装置２００に係合され、簡素な構造によって制御装置２００を装置取付部１５に容易に取り付けることができる。
【０１５３】
続いて、第１のアクセサリー１Ａの使用態様について説明する（図１７乃至図１９参照）。
【０１５４】
第１のアクセサリー１Ａの使用前においては、例えば、制御装置２００の重量により装置取付部１５の受け面部１７が水平な状態にされ、装置取付部１５が第１の回動位置にあり、制御装置２００が撮像装置１５０に最も近付いて位置されている（図１７参照）。このとき回動部材４における一方の摺動係合部３０の係合爪３０ａがベース部材２における支持部１１の一方のストッパー突部１２ｂに接して装置取付部１５が前側に傾斜する方向への回動が規制されている。
【０１５５】
使用者は、例えば、人差し指を持ち手部３５に挿入し、例えば、中指を突状部１０のサポート突部１０ｂに下方から宛がい、人差し指と中指によって第１のアクセサリー１Ａを把持する（図１８参照）。
【０１５６】
持ち手部３５は環状に形成されているため、持ち手部３５に指を挿入する挿入孔３５ａが形成されており、指を持ち手部３５に挿入した状態で第１のアクセサリー１Ａを把持することができる。従って、第１のアクセサリー１Ａに対する良好な把持性を確保することができると共に第１のアクセサリー１Ａ、撮像装置１５０及び制御装置２００の落下を防止することができる。
【０１５７】
上記のように、人差し指と中指によって第１のアクセサリー１Ａを把持した状態において、親指を装置取付部１５の指掛け操作部１９ｂに上方から宛がい、指掛け操作部１９ｂを下方に押圧することにより装置取付部１５をカメラ装着部３４に対して回動させることができる。装置取付部１５の回動は、回動部材４における他方の摺動係合部３０の係合爪３０ａがベース部材２における支持部１１の他方のストッパー突部１２ｂに接して回動が規制される第２の回動位置まで行うことができる（図１９参照）。
【０１５８】
装置取付部１５の回動時にはベース部材２に対して可動部材３と回動部材４が一体になって回動され、回動部材４の円環部２７がオーリング３３に摺接された状態で行われる。従って、円環部２７とオーリング３３の間に生じるフリクションによって装置取付部１５を回動途中の任意の位置に保持することが可能であり、使用者は装置取付部１５を必要な回動角度まで回動させて制御装置２００を所望の傾き状態に保持することができる。
【０１５９】
使用者は、上記のように装置取付部１５を回動させて制御装置２００を所望の傾きに保持した状態において、制御装置２００の表示制御部２０２に表示される画像や映像等を視認することができると共に操作部２０３、２０３、・・・に対する操作を行うことができる。
【０１６０】
一方、第２の回動位置から第１の回動位置へ向けて装置取付部１５を回動させるときには、使用者は、例えば、指掛け操作部１９ｂに指を下方から宛がい、指掛け操作部１９ｂを上方に押圧することにより装置取付部１５をカメラ装着部３４に対して回動させることができる。
【０１６１】
上記のように、第１のアクセサリー１Ａには指で把持される持ち手部３５が設けられているため、カメラ装着部３４に撮像装置１５０が装着された状態で持ち手部３５を指で把持して制御装置２００を使用することが可能になり、撮像装置１５０の撮影状況に応じて制御装置２００を使用することができ、撮影時における制御装置２００の使い勝手の向上を図ることができる。
【０１６２】
また、第１のアクセサリー１Ａにおいて、カメラ装着部３４に撮像装置１５０が装着されると共に装置取付部１５に制御装置２００が取り付けられた状態において持ち手部３５を指で把持することが可能になるため、撮像装置１５０の撮影状況に応じた第１のアクセサリー１Ａの機能性の向上を図ることができる。
【０１６３】
また、装置取付部１５がカメラ装着部３４に対して回動可能にされ、装置取付部１５の回動に伴って制御装置２００の撮像装置１５０に対する向きが変化される。
【０１６４】
従って、装置取付部１５がカメラ装着部３４に対して回動されることにより制御装置２００の撮像装置１５０に対する向きが変更されるため、制御装置２００を所望の向きに設定して制御装置２００の使い勝手の向上を図ることができる。
【０１６５】
また、第１のアクセサリー１Ａにおいて、装置取付部１５がカメラ装着部３４に対して回動されることにより制御装置２００の撮像装置１５０に対する向きが変更されるため、制御装置２００を所望の向きに設定して第１のアクセサリー１Ａの使い勝手の向上を図ることができる。
【０１６６】
次に、第２のアクセサリー１Ｂの構成等について説明する（図２０乃至図２２参照）。
【０１６７】
第２のアクセサリー１Ｂは、例えば、制御装置２００に対する充電装置として用いられ、外筐３６に所要の各部が配置されて成る（図２０及び図２１参照）。外筐３６は上方に開口された形状に形成されたケース体３７とケース体３７の下端部に結合された底板３８とによって構成されている。
【０１６８】
ケース体３７は底板３８に対向して位置された底壁部３９と底壁部３９の前端部に連続して設けられた前壁部４０と底壁部３９の後端部に連続して設けられた後壁部４１と底壁部３９の左端部に連続して設けられた側壁部４２と底壁部３９の外周側に位置された周面部４３とを有している。
【０１６９】
ケース体３７には底壁部３９と前壁部４０と後壁部４１と側壁部４２によって囲まれた凹部が形成され、この凹部が上方及び右方に開口された取付凹部３７ａとして形成されている。
【０１７０】
底壁部３９は底板３８の上方に位置され、略中央部に上下に貫通された開口３９ａを有している。ケース体３７には底壁部３９の周囲に左方に開口するコ字状のスリット４４が形成され、スリット４４によって囲まれた部分が弾性変形部４５として設けられている。弾性変形部４５は開口３９ａを含む部分であり底壁部３９の一部として設けられ、右端部が上下に変位する方向へ弾性変形可能にされている。
【０１７１】
弾性変形部４５における開口３９ａの右側開口縁には上方に突出され前後に延びる係止突部４５ａが設けられている。弾性変形部４５の上面における右端部には上方に突出され前後に延びる滑り止め突部４５ｂが設けられている。
【０１７２】
前壁部４０は底壁部３９の前端部から上方に突出され、左端部が側壁部４２の前端部に連続されている。前壁部４０の左端部における上端部にはロック部４０ａが設けられ、ロック部４０ａは後方に突出され左右に延びる形状に形成されている。
【０１７３】
後壁部４１は底壁部３９の後端部から上方に突出され、左端部が側壁部４２の後端部に連続されている。後壁部４１の左端部における上端部には係合溝４１ａが形成され、係合溝４１ａは前後に貫通された形状に形成されている。後壁部４１には左右に延びる挿通溝４１ｂが形成され、挿通溝４１ｂは前後に貫通され右方に開口され左端が係合溝４１ａに連通されている。
【０１７４】
側壁部４２は底壁部３９の左端部から上方に突出された立壁面部４６と立壁面部４６の上端部から左方に突出された天面部４７とを有している。側壁部４２の前後方向における中央部には上方及び右方に開口された配置凹部４２ａが形成されている。
【０１７５】
立壁面部４６には配置凹部４２ａの前側と後側にそれぞれ支え突起４６ａ、４６ａが設けられている。
【０１７６】
周面部４３は上端部がそれぞれ底壁部３９の右端部と前壁部４０の上端部と後壁部４１の上端部と天面部４７の左端部とに連続され、下端部に底板３８の外周部が結合されている。周面部４３の左側面部には挿入孔４３ａが形成されている。挿入孔４３ａにはコネクター端子４８が配置されている。コネクター端子４８は充電時にケーブルが接続される端子である。
【０１７７】
側壁部４２の配置凹部４２ａには端子部４９、４９、・・・が前後に並んで配置され、端子部４９、４９、・・・にはコネクター端子４８の一端部がケース体３７の内部において接続されている。端子部４９は上下方向へ弾性変形可能にされている。
【０１７８】
上記のように構成された第２のアクセサリー１Ｂにおいては、撮像装置１５０は装着されないが、制御装置２００が取り付けられることにより、第２のアクセサリー１Ｂと制御装置２００によって制御ユニット４００Ｂが構成される（図２２参照）。
【０１７９】
以下に、第２のアクセサリー１Ｂに対する制御装置２００の取付について説明する。
【０１８０】
制御装置２００は第２のアクセサリー１Ｂに対してスライドされることにより第２のアクセサリー１Ｂに取り付けられる。
【０１８１】
制御装置２００は第２のアクセサリー１Ｂに対して左方へスライドされて被取付突部２０５が前壁部４０と後壁部４１の間に挿入され、スライドされることにより被取付突部２０５によって係止突部４５ａが下方に押圧され、係止突部４５ａが下方に変位される方向へ弾性変形部４５が弾性変形される。
【０１８２】
制御装置２００がスライドされていくと被取付突部２０５の下面が係止突部４５ａに摺動される。このとき制御装置２００は係合突部２０５ｂが挿通溝４１ｂから係合溝４１ａに挿入されると共に係合凹部２０５ａにロック部４０ａが挿入される。
【０１８３】
制御装置２００がさらに左方へスライドされると、被取付突部２０５が係止突部４５ａの左方に位置され、弾性変形部４５が弾性復帰されて係止突部４５ａが第２の接触部２０８ａに係合される。制御装置２００は、係合突部２０５ｂが係合溝４１ａに係合され、係合凹部２０５ａにロック部４０ａが係合され、係止突部４５ａが第２の接触部２０８ａに係合されることにより第２のアクセサリー１Ｂに取り付けられる。
【０１８４】
制御装置２００がスライドされて第２のアクセサリー１Ｂに取り付けられるときには、制御装置２００の接続端子２０９、２０９、・・・がそれぞれ端子部４９、４９、・・・に摺動される。
【０１８５】
従って、接続端子２０９、２０９、・・・と端子部４９、４９、・・・に付着されていた塵埃が摺動により除去され、接続端子２０９、２０９、・・・及び端子部４９、４９、・・・に対する塵埃の付着を防止することができる。
【０１８６】
また、接続端子２０９、２０９、・・・に付着されていた塵埃が摺動により除去される構成にされているため、例えば、塵埃の付着や侵入を防止するための蓋部材を必要とせず、その分、制御装置２００の部品点数の削減及び小型化を図ることができる。
【０１８７】
制御装置２００が第２のアクセサリー１Ｂに取り付けられた状態において、第２のアクセサリー１Ｂに形成された取付凹部３７ａに被取付突部２０５が挿入される。
【０１８８】
従って、被取付突部２０５が取付凹部３７ａに挿入された状態で第２のアクセサリー１Ｂに取り付けられるため第２のアクセサリー１Ｂに対する安定した取付状態を確保することができると共に本体部２０４が取付凹部３７ａに挿入されないため表示制御部２０２に対する良好な視認性を確保することができる。
【０１８９】
特に、被取付突部２０５が取付凹部３７ａに挿入されているため、制御装置２００が第２のアクセサリー１Ｂに対してスライドし難く、制御装置２００の第２のアクセサリー１Ｂからの脱落を防止することができる。
【０１９０】
また、被取付突部２０５が取付凹部３７ａに挿入されるため、第２のアクセサリー１Ｂの全体としての小型化を図ることができる。
【０１９１】
さらに、被取付突部２０５に係合突部２０５ｂと係合凹部２０５ａが形成され、第２のアクセサリー１Ｂに取り付けられた状態において取付凹部３７ａに被取付突部２０５が挿入されている。
【０１９２】
従って、被取付突部２０５が取付凹部３７ａに挿入された状態で第２のアクセサリー１Ｂに取り付けられるため、係合突部２０５ｂと係合凹部２０５ａが第２のアクセサリー１Ｂによって閉塞され、制御装置２００が第２のアクセサリー１Ｂに取り付けられた状態において係合突部２０５ｂと係合凹部２０５ａに手が誤って接触することがなく、制御装置２００の第２のアクセサリー１Ｂからの意図しない脱落を防止することができる。
【０１９３】
さらにまた、制御装置２００は、係合突部２０５ｂが凹状部である係合溝４１ａに係合され係合凹部２０５ａが第２のアクセサリー１Ｂの突状部であるロック部４０ａに係合されて第２のアクセサリー１Ｂに取り付けられる。
【０１９４】
従って、係合突部２０５ｂと係合凹部２０５ａがそれぞれ係合溝４１ａとロック部４０ａに対応する位置関係にある状態においてのみ第２のアクセサリー１Ｂに取付可能であるため、第２のアクセサリー１Ｂに対して常に所定の向きで取り付けられ、第２のアクセサリー１Ｂに対する誤った向きでの取付を防止することができる。
【０１９５】
制御装置２００が第２のアクセサリー１Ｂに取り付けられた状態においては、立壁面部４６の支え突起４６ａ、４６ａがそれぞれ第１の接触部２０７ａ、２０７ａに接した状態にされる。
【０１９６】
従って、筐体２０１が支え突起４６ａ、４６ａによって２箇所で点接触された状態で支えられ、制御装置２００の第２のアクセサリー１Ｂに対するガタツキが防止され、制御装置２００が第２のアクセサリー１Ｂに安定した状態で取り付けられる。
【０１９７】
また、このとき被取付突部２０５の端子用突部２０５ｃが側壁部４２に形成された配置凹部４２ａに挿入される。従って、接続端子２０９、２０９、・・・には端子部４９、４９、・・・以外の何れの部分も接触されず、接続端子２０９、２０９、・・・の傷付きや損傷を防止することができる。
【０１９８】
制御装置２００が第２のアクセサリー１Ｂに取り付けられた状態において、電源に接続されたケーブルをコネクター端子に接続することにより制御装置２００に対する充電を行うことができる。
【０１９９】
制御装置２００が第２のアクセサリー１Ｂに取り付けられた状態において、弾性変形部４５の右端部が下方に押圧操作されると、係止突部４５ａが下方に変位される方向へ弾性変形され、第２の接触部２０８ａに対する係止突部４５ａの係合が解除される。従って、制御装置２００を右方へスライドさせることにより、制御装置２００を第２のアクセサリー１Ｂから取り外すことが可能になる。
【０２００】
このとき滑り止め突部４５ｂに指を宛がって弾性変形部４５を下方へ変位させる操作を行うことができ、指の弾性変形部４５に対する滑りが防止され、制御装置２００の第２のアクセサリー１Ｂからの取外作業を確実に行うことができる。
【０２０１】
上記のように、制御装置２００の第２のアクセサリー１Ｂへの取付は、制御装置２００がスライドされたときに第２のアクセサリー１Ｂの弾性変形部４５が弾性変形されることにより行われるため簡易な方法によって制御装置２００を第２のアクセサリー１Ｂに取り付けることができる。
【０２０２】
続いて、第３のアクセサリー１Ｃの構成等について説明する（図２３乃至図３０参照）。
【０２０３】
第３のアクセサリー１Ｃは、例えば、他の部品や他の部分に取り付けられて用いられ、外筐５０に所要の各部が配置されて成る（図２３及び図２４参照）。外筐５０は上方に開口された凹部を有する形状に形成された上ケース５１と上方に開口された浅い箱状の下ケース５２とが上下で結合されて構成されている。
【０２０４】
上ケース５１の凹部は取付凹部５１ａとして形成されている。
【０２０５】
上ケース５１は上下方向を向く底壁部５３と底壁部５３の前端部から上方に突出された前壁部５４と底壁部５３の後端部から上方に突出された後壁部５５と底壁部５３の左端部から上方に突出された左側壁部５６と底壁部５３の右端部から上方に突出された右側壁部５７とを有している。
【０２０６】
底壁部５３の後端部には水抜き孔５３ａが形成されている。
【０２０７】
前壁部５４は下方に開口された横長の箱状に形成され、対向して位置された後面壁５８と前面壁５９を有している。後面壁５８には挿通孔５８ａが形成されている。前面壁５９には前方に開口された横長のスライド凹部５９ａが形成されている。前面壁５９にはスライド凹部５９ａに連通された横長の通孔５９ｂが形成されている。
【０２０８】
後壁部５５には前方に開口され左右に延びる係合溝５５ａが形成されている。後壁部５５には後方に突出されたストラップ取付部５５ｂが設けられている。ストラップ取付部５５ｂに図示しないストラップを取り付けることにより、ストラップを介して第３のアクセサリー１Ｃを保持することができる。
【０２０９】
左側壁部５６の内面には支え突起５６ａ、５６ａが前後に離隔して設けられている。左側壁部５６の前後方向における中央部には上方及び右方に開口された配置凹部５６ｂが支え突起５６ａ、５６ａの間の位置に形成されている。
【０２１０】
右側壁部５７の内面には前後に離隔して支え突起５７ａ、５７ａが設けられている。
【０２１１】
下ケース５２は上下方向を向く底面部６０と底面部６０の前端部から上方に突出された前面部６１と底面部６０の後端部から上方に突出された後面部６２と底面部６０の左右両端部からそれぞれ上方に突出された側面部６３、６３とから成る。
【０２１２】
底面部６０の前後両端部には横長のベルト挿通孔６０ａ、６０ａが形成されている（図２５参照）。一方のベルト挿通孔６０ａは上ケース５１の底壁部５３に形成された水抜き孔５３ａの下方に位置されている。底面部６０には位置決め穴６０ｂと螺穴６０ｃが前後に離隔して形成され、位置決め穴６０ｂと螺穴６０ｃはベルト挿通孔６０ａ、６０ａ間に位置されている。
【０２１３】
前面部６１には横長のベルト挿通孔６１ａが形成され、後面部６２には横長のベルト挿通孔６２ａが形成されている。
【０２１４】
第３のアクセサリー１Ｃは、例えば、順にベルト挿通孔６１ａ、６０ａ、６０ａ、６２ａに面ファスナー付きのベルト５００が挿通される（図２６参照）。第３のアクセサリー１Ｃにベルト５００が挿通されることにより、ベルト５００を介して腕等の身体の一部や身体に取り付けられる装身具等に第３のアクセサリー１Ｃを取り付けて使用することができる。
【０２１５】
また、第３のアクセサリー１Ｃは、例えば、三脚にも取付可能にされている。第３のアクセサリー１Ｃの三脚への取付は、三脚の取付部に設けられている位置決めピンを位置決め穴６０ｂに挿入して位置決めした状態で三脚の取付部に設けられている取付ネジを螺穴６０ｃに螺合することにより行うことができる。
【０２１６】
尚、第３のアクセサリー１Ｃに制御装置２００が取り付けられた状態において、第３のアクセサリー１Ｃを三脚に取り付けて使用する際には、三脚の取付部の一部が制御装置２００における撮影釦２０３ａの真下に位置される。従って、撮影釦２０３ａの操作時に三脚の取付部に対して制御装置２００がガタつくことがなく、撮影釦２０３ａに対する良好な操作性を確保することができる。
【０２１７】
さらに、第３のアクセサリー１Ｃは、例えば、図示しないアダプターに取り付けられ、アダプターが自転車等のハンドル等に取り付けられることにより、アダプターを介してハンドル等に取り付けられて使用される。アダプターへの第３のアクセサリー１Ｃの取付は三脚の取付部に対する取付と同様であるため省略する。
【０２１８】
第３のアクセサリー１Ｃのアダプターを介してのハンドル等への取付は、制御装置２００に対する搭乗者における高い視認性や高い操作性を確保するために、一般に、制御装置２００が前上がりに傾斜された状態にされる。ハンドル等への取付時には第３のアクセサリー１Ｃと制御装置２００が屋外で使用され、降雨の状況においては第３のアクセサリー１Ｃの取付凹部５１ａに雨水が浸入するが、侵入した雨水は水抜き孔５３ａから一方のベルト挿通孔６０ａ又はベルト挿通孔６２ａを通って外部に排出される。
【０２１９】
このように第３のアクセサリー１Ｃには水抜き孔５３ａが形成されているため、降雨の状況において水抜き孔５３ａから雨水が排出され、制御装置２００を雨天においても使用することが可能になり、制御装置２００の使い勝手の向上を図ることができる。
【０２２０】
また、第３のアクセサリー１Ｃをハンドル等に取り付けたままの状態で屋外に放置した状態においても第３のアクセサリー１Ｃに雨水が溜まることがなく、第３のアクセサリー１Ｃの使い勝手の向上を図ることができる。
【０２２１】
第３のアクセサリー１Ｃにはロック機構６４の一部を除いた部分が前壁部５４と下ケース５２の前端部とによって囲まれた内部空間に配置されている（図２７及び図２８参照）。ロック機構６４はベース台６５と作用部材６６とスライド摘子６７とロックレバー６８を有している。
【０２２２】
ベース台６５は下ケース５２の前端部における内面に取り付けられ、横長の形状に形成されたベース板部６５ａとベース板部６５ａから上方に突出され左右に離隔して位置された軸支持部６５ｂ、６５ｂと一方の軸支持部６５ｂに連続して設けられたバネ支持突部６５ｃとを有している。
【０２２３】
作用部材６６は横長の形状に形成され左右方向へ移動可能にされている。作用部材６６は横長の略矩形状に形成された連結板部６９と連結板部６９の右半部から後方に突出された作用部７０と連結板部６９及び作用部７０から右方に突出されたバネ受部７１とを有している。作用部７０は先端面が後方を向く回動規制面７０ａとして形成されている。作用部７０には回動規制面７０ａから左方へ行くに従って連結板部６９に近付く傾斜面７０ｂが形成されている。
【０２２４】
スライド摘子６７は横長の形状に形成された被操作部６７ａと被操作部６７ａから後方に突出された連結突部６７ｂ、６７ｂとから成る。スライド摘子６７は被操作部６７ａが上ケース５１の前面壁５９に形成されたスライド凹部５９ａに配置され、連結突部６７ｂ、６７ｂがスライド凹部５９ａに連通された通孔５９ｂを挿通されて作用部材６６の連結板部６９に連結されている。従って、前面壁５９がスライド摘子６７と作用部材６６によって両側から挟み込まれ、スライド摘子６７と作用部材６６が前面壁５９に対して左右方向へ一体になって移動可能にされる。
【０２２５】
ロックレバー６８は被支持部７２と被支持部７２の上端部から後方に突出されたロック部７３と被支持部７２及びロック部７３の前側に設けられた被作用部７４とを有している。被作用部７４の前面側には前方を向く被規制面７４ａと被規制面７４ａから右方へ行くに従って後方に変位する斜面７４ｂとが形成されている。ロックレバー６８はロック部７３が上ケース５１の後面壁５８に形成された挿通孔５８ａを挿通可能にされている。
【０２２６】
ロックレバー６８は支持軸７５を支点として回動可能にされている。支持軸７５は左右方向に延び、被支持部７２の下端部に貫通され、両端部がそれぞれベース台６５の軸支持部６５ｂ、６５ｂに支持されている。従って、ロックレバー６８はロック部７３が挿通孔５８ａに対して出入りする方向へ回動される。
【０２２７】
支持軸７５の一端部には捩じりコイルバネ７６が支持され、捩じりコイルバネ７６は一端部７６ａがロックレバー６８の被作用部７４に後方から係合され他端部７６ｂがベース台６５の軸支持突部６５ｂに上方から係合されている。従って、ロックレバー６８は捩じりコイルバネ７６によってロック部７３が略前方へ移動される方向へ付勢されている。
【０２２８】
ベース台６５におけるベース板部６５ａの右端部にはバネ支持部材７７が取り付けられている。バネ支持部材７７には圧縮コイルバネ７８が支持され、圧縮コイルバネ７８の左端部が作用部材６６のバネ受部７１に右方から押し付けられている。従って、作用部材６６とスライド摘子６７は圧縮コイルバネ７８によって左方へ付勢されている。
【０２２９】
上記のように構成されたロック機構６４において、スライド摘子６７が操作されていない状態では圧縮コイルバネ７８の付勢力によって作用部材６６とスライド摘子６７が左方の移動端に位置されている（図２８参照）。このとき作用部材６６の回動規制面７０ａがロックレバー６８の被規制面７４ａに接した状態にされ、ロックレバー６８が後方の回動端に保持され、ロック部７３が挿通孔５８ａから後方に突出されている（図２３参照）。
【０２３０】
上記のように構成された第３のアクセサリー１Ｃにおいては、撮像装置１５０は装着されないが、制御装置２００が取り付けられることにより、第３のアクセサリー１Ｃと制御装置２００によって制御ユニット４００Ｃが構成される（図２９参照）。
【０２３１】
以下に、第３のアクセサリー１Ｃに対する制御装置２００の取付について説明する。
【０２３２】
第３のアクセサリー１Ｃに対する制御装置２００の取付に際しては、先ず、スライド摘子６７が圧縮コイルバネ７８の付勢力に反して右方へスライド操作される（図３０参照）。スライド摘子６７が右方へスライドされると、作用部材６６の回動規制面７０ａがロックレバー６８の斜面７４ｂに摺動され捩じりコイルバネ７６の付勢力によってロックレバー６８が作用部材６６に近付く方向へ回動され、挿通孔５８ａから後方へ突出されていたロック部７３が挿通孔５８ａの内側に引き込まれる。
【０２３３】
次に、ロック部７３が挿通孔５８ａの内側に引き込まれた状態において、制御装置２００が第３のアクセサリー１Ｃに対して前壁部５４と後壁部５５の間に前上がりに傾斜された状態で上方から挿入され、係合溝５５ａに係合突部２０５ｂが挿入される。係合溝５５ａに係合突部２０５ｂが挿入された状態において、制御装置２００は前端部が押し下げられて取付凹部５１ａに挿入される。
【０２３４】
このとき制御装置２００の被取付突部２０５には被案内傾斜面２０７、２０８が形成されており、制御装置２００の前端部が押し下げられるときに被案内傾斜面２０７、２０８がそれぞれ左側壁部５６の内縁と右側壁部５７の内縁とに摺動可能であり被取付突部２０５が取付凹部５１ａに挿入される。
【０２３５】
従って、被取付突部２０５の取付凹部５１ａへの挿入を容易かつ確実に行うことができる。
【０２３６】
続いて、スライド摘子６７の右方への操作状態が解除され、スライド摘子６７と作用部材６６が圧縮コイルバネ７８の付勢力によって左方へスライドされる。作用部材６６が左方へスライドされると、作用部材６６の回動規制面７０ａがロックレバー６８の斜面７４ｂに摺動され捩じりコイルバネ７６の付勢力に反してロックレバー６８がスライド摘子６７から遠去かる方向へ回動され、ロック部７３が挿通孔５８ａから後方へ突出される。
【０２３７】
従って、取付凹部５１ａに挿入されている制御装置２００の係合凹部２０５ａにロック部７３が挿入されて係合され、制御装置２００が第３のアクセサリー１Ｃに取り付けられる。
【０２３８】
制御装置２００は第３のアクセサリー１Ｃに取り付けられた状態において、第３のアクセサリー１Ｃに形成された取付凹部５１ａに被取付突部２０５が挿入される。
【０２３９】
従って、被取付突部２０５が取付凹部５１ａに挿入された状態で第３のアクセサリー１Ｃに取り付けられるため第３のアクセサリー１Ｃに対する安定した取付状態を確保することができると共に本体部２０４が取付凹部５１ａに挿入されないため表示制御部２０２に対する良好な視認性を確保することができる。
【０２４０】
特に、被取付突部２０５が取付凹部５１ａに挿入されているため、制御装置２００が第３のアクセサリー１Ｃに対してスライドし難く、制御装置２００の第３のアクセサリー１Ｃからの脱落を防止することができる。
【０２４１】
また、被取付突部２０５が取付凹部５１ａに挿入されるため、第３のアクセサリー１Ｃの全体としての小型化を図ることができる。
【０２４２】
さらに、被取付突部２０５に係合突部２０５ｂと係合凹部２０５ａが形成され、第３のアクセサリー１Ｃに取り付けられた状態において取付凹部５１ａに被取付突部２０５が挿入されている。
【０２４３】
従って、被取付突部２０５が取付凹部５１ａに挿入された状態で第３のアクセサリー１Ｃに取り付けられるため、係合突部２０５ｂと係合凹部２０５ａが第３のアクセサリー１Ｃによって閉塞され、制御装置２００が第３のアクセサリー１Ｃに取り付けられた状態において係合突部２０５ｂと係合凹部２０５ａに手が誤って接触することがなく、制御装置２００の第３のアクセサリー１Ｃからの意図しない脱落を防止することができる。
【０２４４】
さらにまた、制御装置２００は、係合突部２０５ｂが凹状部である係合溝５５ａに係合され係合凹部２０５ａが第３のアクセサリー１Ｃの突状部であるロック部７３に係合されて第３のアクセサリー１Ｃに取り付けられる。
【０２４５】
従って、係合突部２０５ｂと係合凹部２０５ａがそれぞれ係合溝５５ａとロック部７３に対応する位置関係にある状態においてのみ第３のアクセサリー１Ｃに取付可能であるため、第３のアクセサリー１Ｃに対して常に所定の向きで取り付けられ、第３のアクセサリー１Ｃに対する誤った向きでの取付を防止することができる。
【０２４６】
制御装置２００が第３のアクセサリー１Ｃに取り付けられた状態においては、左側壁部５６の支え突起５６ａ、５６ａがそれぞれ第１の接触部２０７ａ、２０７ａに接し、右側壁部５７の支え突起５７ａ、５７ａが第２の接触部２０８ａに接した状態にされる。
【０２４７】
従って、筐体２０１が支え突起５６ａ、５６ａ、５７ａ、５７ａによって４箇所で点接触された状態で支えられ、制御装置２００の第３のアクセサリー１Ｃに対するガタツキが防止され、制御装置２００が第３のアクセサリー１Ｃに安定した状態で取り付けられる。
【０２４８】
また、このとき被取付突部２０５の端子用突部２０５ｃが左側壁部５６によって形成された配置凹部５６ｂに挿入される。従って、接続端子２０９、２０９、・・・には第３のアクセサリー１Ｃの何れの部分も接触されず、接続端子２０９、２０９、・・・の傷付きや損傷を防止することができる。
【０２４９】
尚、上記には、第３のアクセサリー１Ｃに対する制御装置２００の取付に際して、先ず、スライド摘子６７が右方へスライド操作され、次に、制御装置２００が取付凹部５１ａに挿入され、続いて、スライド摘子６７の右方への操作状態が解除されて係合凹部２０５ａにロック部７３が挿入されて係合され、制御装置２００が第３のアクセサリー１Ｃに取り付けられる例を示した。
【０２５０】
但し、スライド摘子６７が右方へスライド操作されない状態において、制御装置２００が取付凹部５１ａに挿入されることにより、制御装置２００が第３のアクセサリー１Ｃに取り付けられる構成にすることも可能である。
【０２５１】
この場合には、制御装置２００が取付凹部５１ａに挿入されるときに摺接面２０６によってロック部７３が前方に押圧されてロックレバー６８がスライド摘子６７に近付く方向へ回動され、ロック部７３が一旦挿通孔５８ａの内側へ引き込まれる。さらに制御装置２００が取付凹部５１ａの奥側に挿入されることにより、係合凹部２０５ａにロック部７３が対応して位置され、捩じりコイルバネ７６の付勢力によってロックレバー６８がスライド摘子６７から遠去かる方向へ回動される。ロックレバー６８がスライド摘子６７から遠去かる方向へ回動されると、ロック部７３が挿通孔５８ａから後方へ突出されて係合凹部２０５ａにロック部７３が挿入されて係合され、制御装置２００が第３のアクセサリー１Ｃに取り付けられる。
【０２５２】
上記のように、制御装置２００が第３のアクセサリー１Ｃに取り付けられた状態において、スライド摘子６７が圧縮コイルバネ７８の付勢力に反して右方へスライド操作されると、捩じりコイルバネ７６の付勢力によってロックレバー６８がスライド摘子６７に近付く方向へ回動され、ロック部７３が挿通孔５８ａの内側に引き込まれて係合凹部２０５ａに対するロックが解除される。
【０２５３】
従って、係合溝５５ａから係合突部２０５ｂを引き出すことにより、制御装置２００を第３のアクセサリー１Ｃから取り外すことができる。
【０２５４】
続いて、第４のアクセサリー１Ｄの構成等について説明する（図３１乃至図３５参照）。
【０２５５】
第４のアクセサリー１Ｄは、例えば、手で把持された使用されたり三脚として使用され、本体７９と取着部８０によって構成されている（図３１乃至図３３参照）。
【０２５６】
本体７９は結合部８１とカメラ装着部８２と機能部８３とを有している。
【０２５７】
結合部８１は前後に延びる丸軸状の結合軸部８１ａと結合軸部８１ａの前側に設けられた第１の連結部８１ｂと結合軸部８１ａの後側に設けられた第２の連結部８１ｃと第１の連結部８１ｂから前方に突出された支持突部８１ｄと結合軸部８１ａの外周面から突出された位置合わせ突部８１ｅ、８１ｅ、・・・とを有している。
【０２５８】
第１の連結部８１ｂと第２の連結部８１ｃは外形が何れも結合軸部８１ａの径より大きくされている。支持突部８１ｄは第１の連結部８１ｂの左右方向における中央部から突出されている。位置合わせ突部８１ｅ、８１ｅ、・・・は結合軸部８１ａの軸方向における両端部から突出され、二つずつがそれぞれ周方向に離隔して位置されている。
【０２５９】
カメラ装着部８２は略円錐台形状に形成された取付台８２ａと取付台８２ａから後方に突出された被支持突部８２ｂ、８２ｂ、８２ｂとを有し、被支持突部８２ｂ、８２ｂ、８２ｂが左右に離隔して位置されている。
【０２６０】
カメラ装着部８２は被支持突部８２ｂ、８２ｂ、８２ｂが調整軸８４を介して結合部８１の支持突部８１ｄに回動自在に支持されている。調整軸８４を回転操作することによりカメラ装着部８２を結合部８１に対して任意の角度に保持することができる。
【０２６１】
カメラ装着部８２には取付ネジ８２ｃが取付台８２ａの中央部から前方に突出されて設けられている。取付台８２ａには取付用ダイヤル８５が支持されており、取付用ダイヤル８５に対する回転操作により取付ネジ８２ｃが回転される。従って、撮像装置１５０の下面に形成された螺合部に取付ネジ８２ｃを螺合することにより、カメラ装着部８２に撮像装置１５０を装着することができる。
【０２６２】
機能部８３は第２の連結部８１ｃに連結された支持基部８３ａと支持基部８３ａに一定の角度の範囲で回動自在に支持された脚部８３ｂ、８３ｂ、８３ｂとを有している。脚部８３ｂ、８３ｂ、８３ｂは上端部が支持基部８３ａに支持されている。
【０２６３】
第４のアクセサリー１Ｄは脚部８３ｂ、８３ｂ、８３ｂを支持基部８３ａに対して開く状態に回動させて脚部８３ｂ、８３ｂ、８３ｂの下端部を載置面に載置することにより、三脚として用いられる（図３４参照）。
【０２６４】
また、脚部８３ｂ、８３ｂ、８３ｂを支持基部８３ａに対して閉じた状態にして機能部８３を手で把持することにより、撮像装置１５０をハイアングルやローアングルの撮影状態で使用したり、撮影者自身を撮影する所謂自分撮りの状態で使用することができる。
【０２６５】
取着部８０は第１の結合体８６と第２の結合体８７を有し、第１の結合体８６と第２の結合体８７はヒンジ８８によって互いに回動自在に連結されている（図３３参照）。取着部８０は結合部８１に対して着脱可能にされる。
【０２６６】
第１の結合体８６は略半円弧面状に形成された結合面部８９と結合面部８９に回動可能に連結されたバックル部９０とを有している。結合面部８９は内面側にゴム等によって形成されたインナー８９ａを有し、インナー８９ａには突状部８９ｂ、８９ｂが設けられている。
【０２６７】
第２の結合体８７は装置取付部９１と装置取付部９１の一方の面側に一体に設けられ略半円弧面状に形成された結合面部９２とを有している。結合面部９２は内面側にゴム等によって形成されたインナー９２ａを有し、インナー９２ａには突状部９２ｂ、９２ｂが設けられている。結合面部９２の外周面には結合用突部９２ｃが設けられている。
【０２６８】
装置取付部９１は制御装置２００が取り付けられる部分であり、上記した第３のアクセサリー１Ｃと同様の形状及び構造にされているため、装置取付部９１の説明は第３のアクセサリー１Ｃと同様の部分に第３のアクセサリー１Ｃにおいて付した符号を付することにより省略する。
【０２６９】
第４のアクセサリー１Ｄにおいては、取着部８０を本体７９から取り外して使用することが可能にされている。取着部８０は、例えば、自転車等のハンドル等に取り付けられて使用される。
【０２７０】
取着部８０の本体７９からの取外は、バックル部９０の結合用突部９２ｃに対する結合状態を解除し、第１の結合体８６と第２の結合体８７をヒンジ８８を支点として開く方向へ回動させることにより行うことができる。
【０２７１】
一方、取着部８０の本体７９への取付は、位置合わせ突部８１ｅ、８１ｅ、・・・をそれぞれ突状部９２ｂ、９２ｂ、・・・に対して位置合わせした状態で第１の結合体８６と第２の結合体８７をヒンジ８８を支点として閉じる方向へ回動させ、バックル部９０を結合用突部９２ｃに結合することにより行うことができる。
【０２７２】
取着部８０の自転車のハンドル等への取付も、第１の結合体８６と第２の結合体８７をヒンジ８８を支点として閉じる方向へ回動させ、バックル部９０を結合用突部９２ｃに結合することにより行うことができる。
【０２７３】
取着部８０にはインナー８９ａ、９２ａが設けられている。従って、取着部８０が本体７９やハンドル等に取り付けられた状態において、取着部８０の本体７９やハンドル等に対するガタツキが防止され、取着部８０を本体７９やハンドル等に安定した状態で取り付けることができる。
【０２７４】
上記のように構成された第４のアクセサリー１Ｄにおいては、撮像装置１５０がカメラ装着部８２に装着され、制御装置２００が装置取付部９１に取り付けられることにより、第４のアクセサリー１Ｄと撮像装置１５０と制御装置２００によって撮像ユニット３００Ｄが構成される（図３４参照）。
【０２７５】
また、制御装置２００が取着部８０の装置取付部９１に取り付けられることにより、第４のアクセサリー１Ｄと制御装置２００によって制御ユニット４００Ｄが構成される（図３５参照）。
【０２７６】
制御装置２００は第４のアクセサリー１Ｄの装置取付部９１に取り付けられた状態において、第４のアクセサリー１Ｄに形成された取付凹部５１ａに被取付突部２０５が挿入される。
【０２７７】
従って、被取付突部２０５が取付凹部５１ａに挿入された状態で第４のアクセサリー１Ｄに取り付けられるため第４のアクセサリー１Ｄに対する安定した取付状態を確保することができると共に本体部２０４が取付凹部５１ａに挿入されないため表示制御部２０２に対する良好な視認性を確保することができる。
【０２７８】
特に、被取付突部２０５が取付凹部５１ａに挿入されているため、制御装置２００が第４のアクセサリー１Ｄ対してスライドし難く、制御装置２００の第４のアクセサリー１Ｄからの脱落を防止することができる。
【０２７９】
また、被取付突部２０５が取付凹部５１ａに挿入されるため、第４のアクセサリー１Ｄの全体としての小型化を図ることができる。
【０２８０】
さらに、被取付突部２０５に係合突部２０５ｂと係合凹部２０５ａが形成され、第４のアクセサリー１Ｄに取り付けられた状態において取付凹部５１ａに被取付突部２０５が挿入されている。
【０２８１】
従って、被取付突部２０５が取付凹部５１ａに挿入された状態で第４のアクセサリー１Ｄに取り付けられるため、係合突部２０５ｂと係合凹部２０５ａが第４のアクセサリー１Ｄによって閉塞され、制御装置２００が第４のアクセサリー１Ｄに取り付けられた状態において係合突部２０５ｂと係合凹部２０５ａに手が誤って接触することがなく、制御装置２００の第４のアクセサリー１Ｄからの意図しない脱落を防止することができる。
【０２８２】
さらにまた、制御装置２００は、係合突部２０５ｂが凹状部である係合溝５５ａに係合され係合凹部２０５ａが第４のアクセサリー１Ｄの突状部であるロック部７３に係合されて第４のアクセサリー１Ｄに取り付けられる。
【０２８３】
従って、係合突部２０５ｂと係合凹部２０５ａがそれぞれ係合溝５５ａとロック部７３に対応する位置関係にある状態においてのみ第４のアクセサリー１Ｄに取付可能であるため、第４のアクセサリー１Ｄに対して常に所定の向きで取り付けられ、第４のアクセサリー１Ｄに対する誤った向きでの取付を防止することができる。
【０２８４】
制御装置２００が第４のアクセサリー１Ｄに取り付けられた状態においては、左側壁部５６の支え突起５６ａ、５６ａがそれぞれ第１の接触部２０７ａ、２０７ａに接し、右側壁部５７の支え突起５７ａ、５７ａが第２の接触部２０８ａに接した状態にされる。
【０２８５】
従って、筐体２０１が支え突起５６ａ、５６ａ、５７ａ、５７ａによって４箇所で点接触された状態で支えられ、制御装置２００の装置取付部９１に対するガタツキが防止され、制御装置２００が装置取付部９１に安定した状態で取り付けられる。
【０２８６】
また、このとき被取付突部２０５の端子用突部２０５ｃが左側壁部５６によって形成された配置凹部５６ｂに挿入される。従って、接続端子２０９、２０９、・・・には装置取付部９１の何れの部分も接触されず、接続端子２０９、２０９、・・・の傷付きや損傷を防止することができる。
【０２８７】
上記したように、第４のアクセサリー１Ｄには撮像装置１５０が着脱可能にされるカメラ装着部８２と着脱部（被ロック部）として機能する係合凹部２０５ａに係合されるロック部７３を有する装置取付部９１とが設けられ、制御装置２００がロック部７３によって装置取付部９１にロックされる。
【０２８８】
従って、カメラ装着部８２に撮像装置１５０が装着されると共に装置取付部９１に制御装置２００が取り付けられ、カメラ装着部８２に撮像装置１５０を装着した状態で制御装置２００によって撮像装置１５０を制御することが可能になり、制御装置２００の使い勝手の向上を図ることができる。
【０２８９】
また、第４のアクセサリー１Ｄにおいて、カメラ装着部８２に撮像装置１５０が装着されると共に装置取付部９１に制御装置２００が取り付けられ、カメラ装着部８２に撮像装置１５０を装着した状態で制御装置２００によって撮像装置１５０を制御することが可能になり、第４のアクセサリー１Ｄの使い勝手の向上を図ることができる。
【０２９０】
さらに、第４のアクセサリー１Ｄには装置取付部９１を有する取着部８０が設けられ、取着部８０がカメラ装着部８２を有する本体７９に対して着脱可能にされている。
【０２９１】
従って、装置取付部９１を有する取着部８０がカメラ装着部８２を有する部分から取り外された状態において制御装置２００の取付が可能になり、制御装置２００の携帯性の向上を図ることができる。
【０２９２】
また、第４のアクセサリー１Ｄを取着部８０のみ又は全体で使用することが可能になり、第４のアクセサリー１Ｄの使用態様の幅が広がり、第４のアクセサリー１Ｄの使い勝手の向上を図ることができる。
【０２９３】
尚、第４のアクセサリー１Ｄは本体７９と取着部８０によって構成されているため、取着部８０に代えて他の取着部を本体７９に取り付けて使用することが可能である。従って、他の取着部における装置取付部が制御装置２００以外の他の種類や他の形状の別の制御装置の取付が可能にされている場合には、別の制御装置が取り付けられた他の取着部を本体７９に取り付けて使用することが可能である。
【０２９４】
このように本体７９に他の取着部の取付が可能な構成にするされることより、汎用性の向上を図ることができる。
【０２９５】
次に、第５のアクセサリー１Ｅの構成等について説明する（図３６乃至図４１参照）。
【０２９６】
第５のアクセサリー１Ｅは、例えば、腕時計をモチーフとして形成されており、腕に取り付けられて使用され、制御装置２００が取り付けられる装置取付部９３と装置取付部９３の前端部に連続された第１のベルト９４と装置取付部９３の後端部に連続された第２のベルト９５とを有している（図３６及び図３７参照）。
【０２９７】
装置取付部９３は一部を除いて上記した第３のアクセサリー１Ｃと同様の形状及び構造にされているため、装置取付部９３の説明は第３のアクセサリー１Ｃと異なる部分を除いて第３のアクセサリー１Ｃと同様の部分に第３のアクセサリー１Ｃにおいて付した符号を付することにより省略する。
【０２９８】
装置取付部９３には腕に取り付けられる側である内面側に、ロック機構６４が配置された空間に連通された挿通孔９３ａが形成され（図３８参照）、第３のアクセサリー１Ｃのように後面壁５８には挿通孔が形成されていない。
【０２９９】
挿通孔９３ａにはロック機構６４のスライド摘子６７が配置されており、使用者は挿通孔９３ａに指を挿入してスライド摘子６７を操作することが可能にされている。
【０３００】
このように、第５のアクセサリー１Ｅにおいては、身体の一部に取り付けられた状態における身体に接する面側にスライド摘子６７が設けられている。
【０３０１】
従って、第５のアクセサリー１Ｅが身体（腕）に取り付けられた状態においてスライド摘子６７に対する操作が不能であり、ロック機構６４が意図せず動作されることがなく、制御装置２００の第５のアクセサリー１Ｅからの意図しない脱落を防止することができる。
【０３０２】
また、第５のアクセサリー１Ｅにおいて、身体に取り付けられた状態でスライド摘子６７を操作することができないため、スライド摘子６７に対する誤操作を防止することができる。
【０３０３】
尚、スライド摘子６７は身体に接する面と反対側に設けられていてもよく、この場合には身体に第５のアクセサリー１Ｅを取り付けた状態でスライド摘子６７を操作することが可能になり、装置取付部９３に対する制御装置２００の着脱を行い易くなる。
【０３０４】
装置取付部９３における後端部の内面には凹状部９３ｂが形成されている。装置取付部９３における後端部の内面に凹状部９３ｂが形成されることにより装置取付部９３の後端部が薄肉化され、装置取付部９３の後端部に連続された第２のベルト９５の装置取付部９３に対する屈曲性が向上する。
【０３０５】
第１のベルト９４は良好な屈曲性を確保するために一部を除いて、例えば、ウレタン等によって形成されている。また、第１のベルト９４はウレタン等によって形成されているため弾性変形可能にされている。
【０３０６】
第１のベルト９４は装置取付部９３の前壁部５４に連続されている（図３６乃至図３８参照）。第１のベルト９４は扁平な形状に形成され先端部が他の部分より幅広に形成された挿通部９６として設けられている。挿通部９６にはベルト挿通孔９６ａが形成されている。ベルト挿通孔９６ａは左右両端部が挿通部９６の最も先端側に位置され、左右両端部から中央へ行くに従って先端から離隔する方向へ緩やかに変位されている。従って、挿通部９６には前壁部５４側に凸の凸形状が形成され、この凸形状が仮止め突部９６ｂとして設けられている。
【０３０７】
第１のベルト９４の先端寄りの位置には止め突部９７が設けられている。止め突部９７は軸部９８と軸部９８の先端側に設けられた止め部９９とから成る（図３９参照）。止め突部９７は第５のアクセサリー１Ｅが腕に取り付けられたときに第２のベルト９５に係合される部分であり、止め突部９７の軸部９８が突出されたベース部分を含んで、第１のベルト９４における他の部分とは異なる材料によって形成されていても良い。このような材料としては、例えば、ポリカーボネートにガラス繊維等が含有された材料がある。
【０３０８】
止め部９９は先端面が上方に凸の曲面状に形成され、挿通部９６側へ寄った位置に軸部９８が連続されている。従って、止め部９９は軸部９８に対して挿通部９６側に突出された部分より挿通部９６の反対側に突出された部分の突出量が大きくされている。止め部９９における軸部９８に対して挿通部９６の反対側に突出された部分は係止爪部９９ａとして設けられている。
【０３０９】
第１のベルト９４には止め突部９７を挟んだ挿通部９６の反対側に止め輪１００が取り付けられている。止め輪１００は弾性変形可能な材料によって形成され、角筒状に形成された環状部１０１と環状部１０１から突出された係止用突部１０２とが一体に形成されて成る。
【０３１０】
環状部１０１は、係止用突部１０２が突出された第１の対面部１０１ａと、第１の対面部１０１ａに対向する第２の対面部１０１ｂと、第１の対面部１０１ａと第２の対面部１０１ｂを連結する側部１０１ｃ、１０１ｃとから成る。環状部１０１は第２の対面部１０１ｂの内面が第１のベルト９４に取り付けられている。従って、第１の対面部１０１ａと第１のベルト９４の間には空間が形成されている。
【０３１１】
係止用突部１０２は第１の対面部１０１ａの内面から第２の対面部１０１ｂ側に突出されている。
【０３１２】
第２のベルト９５は良好な屈曲性を確保するために、例えば、ウレタン等によって形成されていいる。また、第２のベルト９５はウレタン等によって形成されているため弾性変形可能にされている。
【０３１３】
第２のベルト９５は装置取付部９３の後壁部５５に連続されている（図３６乃至図３８参照）。第２のベルト９５は扁平な形状に形成され先端部が略半円板状に形成されている。第２のベルト９５には止め孔１０３、１０３、・・・が長手方向において等間隔に離隔して形成されている（図４０参照）。
【０３１４】
止め孔１０３は、貫通方向における中間部が小径部１０３ａとして形成され、貫通方向における一端部が小径部１０３ａから離隔するに従って径が大きくされた拡径部１０３ｂとして形成され、小径部１０３ａを挟んで拡径部１０３ｂの反対側の部分が小径部１０３ａより径の大きな大径部１０３ｃとして形成されている。
【０３１５】
上記のように構成された第５のアクセサリー１Ｅにおいては、撮像装置１５０は装着されないが、制御装置２００が取り付けられることにより、第５のアクセサリー１Ｅと制御装置２００によって制御ユニット４００Ｅが構成される（図４１参照）。
【０３１６】
制御装置２００は第５のアクセサリー１Ｅに取り付けられた状態において、第５のアクセサリー１Ｅに形成された取付凹部５１ａに被取付突部２０５が挿入される。
【０３１７】
従って、被取付突部２０５が取付凹部５１ａに挿入された状態で装置取付部９３に取り付けられるため第５のアクセサリー１Ｅに対する安定した取付状態を確保することができると共に本体部２０４が取付凹部５１ａに挿入されないため表示制御部２０２に対する良好な視認性を確保することができる。
【０３１８】
特に、被取付突部２０５が取付凹部５１ａに挿入されているため、制御装置２００が第５のアクセサリー１Ｅに対してスライドし難く、制御装置２００の第５のアクセサリー１Ｅからの脱落を防止することができる。
【０３１９】
また、被取付突部２０５が取付凹部５１ａに挿入されるため、第５のアクセサリー１Ｅの全体としての小型化を図ることができる。
【０３２０】
さらに、被取付突部２０５に係合突部２０５ｂと係合凹部２０５ａが形成され、第５のアクセサリー１Ｅに取り付けられた状態において取付凹部５１ａに被取付突部２０５が挿入されている。
【０３２１】
従って、被取付突部２０５が取付凹部５１ａに挿入された状態で第５のアクセサリー１Ｅに取り付けられるため、係合突部２０５ｂと係合凹部２０５ａが第５のアクセサリー１Ｅによって閉塞され、制御装置２００が第５のアクセサリー１Ｅに取り付けられた状態において係合突部２０５ｂと係合凹部２０５ａに手が誤って接触することがなく、制御装置２００の第５のアクセサリー１Ｅからの意図しない脱落を防止することができる。
【０３２２】
さらにまた、制御装置２００は、係合突部２０５ｂが凹状部である係合溝５５ａに係合され係合凹部２０５ａが第５のアクセサリー１Ｅの突状部であるロック部７３に係合されて第５のアクセサリー１Ｅに取り付けられる。
【０３２３】
従って、係合突部２０５ｂと係合凹部２０５ａがそれぞれ係合溝５５ａとロック部７３に対応する位置関係にある状態においてのみ第５のアクセサリー１Ｅに取付可能であるため、第５のアクセサリー１Ｅに対して常に所定の向きで取り付けられ、第５のアクセサリー１Ｅに対する誤った向きでの取付を防止することができる。
【０３２４】
制御装置２００が第５のアクセサリー１Ｅに取り付けられた状態においては、左側壁部５６の支え突起５６ａ、５６ａがそれぞれ第１の接触部２０７ａ、２０７ａに接し、右側壁部５７の支え突起５７ａ、５７ａが第２の接触部２０８ａに接した状態にされる。
【０３２５】
従って、筐体２０１が支え突起５６ａ、５６ａ、５７ａ、５７ａによって４箇所で点接触された状態で支えられ、制御装置２００の装置取付部９３に対するガタツキが防止され、制御装置２００が装置取付部９３に安定した状態で取り付けられる。
【０３２６】
また、このとき被取付突部２０５の端子用突部２０５ｃが左側壁部５６によって形成された配置凹部５６ｂに挿入される。従って、接続端子２０９、２０９、・・・には装置取付部９３の何れの部分も接触されず、接続端子２０９、２０９、・・・の傷付きや損傷を防止することができる。
【０３２７】
第５のアクセサリー１Ｅは、以下のようにして腕に取り付けられる（図４２乃至図４４参照）。
【０３２８】
先ず、装置取付部９３の内面が腕に宛がわれ、第１のベルト９４と第２のベルト９５がそれぞれ略円弧状に屈曲され、第２のベルト９５が第１のベルト９４のベルト挿通孔９６ａに挿通される（図４２参照）。このとき第１のベルト９４の仮止め突部９６ｂが第２のベルト９５に形成された止め孔１０３の開口縁に係合され、第２のベルト９５が第１のベルト９４に仮止めされて第２のベルト９５のベルト挿通孔９６ａからの抜けが防止される。
【０３２９】
このように第５のアクセサリー１Ｅには仮止め突部９６ｂが設けられているため、腕への取付の途中で第２のベルト９５を第１のベルト９４に対して仮止め状態にすることができ、取付作業における作業性の向上を図ることができる。
【０３３０】
次に、第２のベルト９５が止め輪１００に挿入される（図４３参照）。このとき第２のベルト９５が止め突部９７の止め部９９に摺動されるが、止め部９９の先端面が曲面状に形成されているため、第２のベルト９５が止め部９９に対して円滑に摺動される。従って、第２のベルト９５の止め輪１００への挿入を円滑かつ容易に行うことができる。第２のベルト９５が止め輪１００に挿入された状態においては、止め孔１０３に係止用突部１０２が挿入される。
【０３３１】
続いて、係止用突部１０２が挿入された止め孔１０３とは別の止め孔１０３に止め突部９７が挿入される（図４４参照）。このとき止め孔１０３には小径部１０３ａから離隔するに従って径が大きくされた拡径部１０３ｂが形成されているため、拡径部１０３ｂに止め部９９が案内されて止め突部９７が止め孔１０３に円滑に挿入される。また、止め突部９７における止め部９９の先端面が曲面状に形成されているため、止め突部９７が止め孔１０３に一層円滑に挿入される。
【０３３２】
止め突部９７は小径部１０３ａを押し広げながら止め孔１０３に挿入され、止め部９９が大径部１０３ｃに位置される。
【０３３３】
上記のように、止め孔１０３、１０３にそれぞれ係止用突部１０２と止め突部９７が挿入された状態において、把持していた第１のベルト９４と第２のベルト９５から手を離すと、それぞれ略円弧状に屈曲されている第１のベルト９４と第２のベルト９５が元の状態に戻ろうとする。従って、係止用突部１０２が止め孔１０３を形成する周面に係合されると共に止め部９９の係止爪部９９ａが大径部１０３ｃを形成する面に係合される。
【０３３４】
このように係止用突部１０２と止め部９９が各部に係合されることにより第５のアクセサリー１Ｅが腕に取り付けられる。止め部９９には軸部９８からの突出量が大きくされた係止爪部９９ａが設けられているため、係止爪部９９ａの第２のベルト９５に対する係止面積が大きく、止め部９９の第２のベルト９５に対する係止状態が解除され難く、第２のベルト９５が第１のベルト９４に安定した状態で結合される。
【０３３５】
＜まとめ＞
以上に記載した通り、制御装置２００は、撮像装置１５０と無線通信可能な通信部と、撮像装置１５０との通信に基づいて撮像装置１５０に関する情報を表示する表示制御部２０２と、アクセサリー１Ａ、１Ｂ、１Ｃ、１Ｄ、１Ｅのロック部２３ａ、４０ａ、７３と係合可能にされアクセサリー１Ａ、１Ｂ、１Ｃ、１Ｄ、１Ｅに対して着脱可能にされた係合凹部２０５ａとを有している。
【０３３６】
従って、制御装置２００がアクセサリー１Ａ、１Ｂ、１Ｃ、１Ｄ、１Ｅにロックされた状態において撮像装置１５０との間で無線接続可能にされると共に撮像装置１５０に対する制御が可能にされるため、制御装置２００の取扱いに関する利便性の向上を図ることができる。
【０３３７】
＜その他＞
上記には、制御装置２００に係合凹部２０５ａと係合突部２０５ｂが形成され、係合凹部２０５ａと係合突部２０５ｂがそれぞれアクセサリー１Ａ、１Ｂ、１Ｃ、１Ｄ、１Ｅの突状部と凹状部に係合されてロックされる例を示した。
【０３３８】
但し、制御装置２００に二つの係合凹部が形成され、アクセサリー１Ａ、１Ｂ、１Ｃ、１Ｄ、１Ｅに二つの突状部が設けられ、二つの係合凹部にそれぞれ突状部が係合されて制御装置２００がロックされてもよい。また、制御装置２００に二つの係合突部が設けられ、アクセサリー１Ａ、１Ｂ、１Ｃ、１Ｄ、１Ｅに二つの凹状部が形成され、二つの係合突部にそれぞれ凹状部が係合されて制御装置２００がロックされてもよい。
【０３３９】
さらに、上記には、制御装置２００がアクセサリー１Ａ、１Ｂ、１Ｃ、１Ｄ、１Ｅにロックされる構成を示したが、逆に、制御装置２００にアクセサリー１Ａ、１Ｂ、１Ｃ、１Ｄ、１Ｅがロックされる構成にすることも可能である。
【０３４０】
＜本技術＞
本技術は、以下のような構成にすることもできる。
【０３４１】
（１）
撮像装置と無線通信可能な通信部と、
前記撮像装置との通信に基づいて前記撮像装置に関する情報を表示する表示制御部と、
アクセサリーのロック部と係合可能にされ前記アクセサリーに対して着脱可能にされた着脱部とを備えた
制御装置。
【０３４２】
（２）
係合突部と係合凹部が形成され、
前記係合突部又は係合凹部の一方が前記着脱部として形成され、
前記係合突部又は係合凹部の他方が前記アクセサリーに形成された凹状部又は突状部に係合される
前記（１）に記載の制御装置。
【０３４３】
（３）
前記表示制御部が配置された筐体が設けられ、
前記筐体には前記表示制御部が配置された本体部と前記本体部から突出され前記着脱部を有する被取付突部とが設けられ、
前記アクセサリーに取り付けられた状態において前記アクセサリーに形成された取付凹部に前記被取付突部が挿入される
前記（１）又は前記（２）に記載の制御装置。
【０３４４】
（４）
前記表示制御部が配置された筐体が設けられ、
前記筐体には前記表示制御部が配置された本体部と前記本体部から突出された被取付突部とが設けられ、
前記被取付突部に前記係合突部と前記係合凹部が形成され、
前記アクセサリーに取り付けられた状態において前記アクセサリーに形成された取付凹部に前記被取付突部が挿入される
前記（２）に記載の制御装置。
【０３４５】
（５）
前記被取付突部には前記取付凹部の開口縁に摺動可能な被案内傾斜面が形成された
前記（３）又は前記（４）に記載の制御装置。
【０３４６】
（６）
前記アクセサリーに取り付けられた状態において前記アクセサリーの各一部に点接触される複数の接触部が設けられた
前記（１）から前記（５）の何れかに記載の制御装置。
【０３４７】
（７）
前記表示制御部が配置された筐体が設けられ、
前記筐体には前記撮像装置に対して撮影動作を実行させる撮影釦を含む複数の操作釦が配置され、
前記表示制御部と前記撮影釦が前記筐体の同一の面に配置された
前記（２）から前記（６）の何れかに記載の制御装置。
【０３４８】
（８）
前記撮影釦と他の操作釦とが前記筐体の異なる面に配置された
前記（７）に記載の制御装置。
【０３４９】
（９）
前記操作釦が前記筐体の反対側の面にそれぞれ配置され、
前記反対側の面が同一の大きさ及び形状に形成され、
前記反対側の面のうち一方の面に配置された前記操作釦の前記一方の面に対する位置と前記反対側の面のうち他方の面に配置された前記操作釦の前記他方の面に対する位置とが異なる位置にされた
前記（７）又は前記（８）に記載の制御装置。
【０３５０】
（１０）
前記筐体の少なくとも一つの面が凹面に形成され、
前記凹面に前記少なくとも一つの前記操作釦が配置された
前記（７）から前記（９）の何れかに記載の制御装置。
【０３５１】
（１１）
前記アクセサリーの端子部に接続される接続端子が設けられ、
前記アクセサリーに対してスライド可能にされ、
前記アクセサリーに対するスライド状態において前記接続端子が前記端子部に摺動可能にされた
前記（１）から前記（１０）の何れかに記載の制御装置。
【０３５２】
（１２）
前記アクセサリーには前記撮像装置が着脱可能にされるカメラ装着部と前記着脱部に係合されるロック部を有する装置取付部とが設けられ、
前記ロック部によって前記装置取付部にロックされる
前記（１）から前記（１１）の何れかに記載の制御装置。
【０３５３】
（１３）
前記アクセサリーには前記装置取付部を有する取着部が設けられ、
前記取着部が前記カメラ装着部を有する部分に対して着脱可能にされた
前記（１２）に記載の制御装置。
【０３５４】
（１４）
前記アクセサリーに指で把持される持ち手部が設けられた
前記（１２）に記載の制御装置。
【０３５５】
（１５）
前記装置取付部が前記カメラ装着部に対して回動可能にされ、
前記装置取付部の回動に伴って前記撮像装置に対する向きが変化される
前記（１４）に記載の制御装置。
【０３５６】
（１６）
前記アクセサリーに水抜き孔が形成された
前記（１）から前記（１１）の何れかに記載の制御装置。
【０３５７】
（１７）
前記アクセサリーが身体の一部に取付可能にされ、
身体の一部に取り付けられた状態における身体に接する面側に、前記ロック部を有するロックレバーを動作させる摘子が設けられた
前記（１）から前記（１１）の何れかに記載の制御装置。
【０３５８】
（１８）
前記アクセサリーには弾性変形可能な弾性変形部が設けられ、
前記弾性変形部に前記ロック部が設けられた
前記（１）から前記（１１）の何れかに記載の制御装置。
【０３５９】
（１９）
ロック部を有するアクセサリーと、
撮像装置と無線通信可能な通信部と、前記撮像装置との通信に基づいて前記撮像装置に関する情報を表示する表示制御部と、前記ロック部と係合可能にされ前記アクセサリーに対して着脱可能にされた着脱部とを有する制御装置とを備えた
制御ユニット。
【０３６０】
（２０）
撮像機能を有する撮像装置と、
ロック部を有するアクセサリーと、
前記撮像装置と無線通信可能な通信部と、前記撮像装置との通信に基づいて前記撮像装置に関する情報を表示する表示制御部と、前記ロック部と係合可能にされ前記アクセサリーに対して着脱可能にされた着脱部とを有する制御装置とを備えた
撮像ユニット。
【符号の説明】
【０３６１】
１Ａ…第１のアクセサリー、１５…装置取付部、１５ａ…取付凹部、１８…弾性変形部、１９ａ…係合溝（凹状部）、２３ａ…ロック部（突状部）、３４…カメラ装着部、３５…持ち手部、１５０…撮像装置、２００…制御装置、２０１…筐体、２０２…表示制御部、２０３…操作釦、２０３ａ…撮影釦、２０４…本体部、２０４ａ…第１の凹面、２０４ｂ…第２の凹面、２０５…被取付突部、２０５ａ…係合凹部（着脱部）、２０５ｂ…係合突部、２０７…被案内傾斜面、２０７ａ…第１の接触部、２０８…被案内傾斜面、２０８ａ…第１の接触部、２０９…接続端子、３００Ａ…撮像ユニット、４００Ａ…制御ユニット、１Ｂ…第２のアクセサリー、３７ａ…取付凹部、４０ａ…ロック部（突状部）、４１ａ…係合溝（凹状部）、４５…弾性変形部、４００Ｂ…制御ユニット、１Ｃ…第３のアクセサリー、５１ａ…取付凹部、５３ａ…水抜き孔、５５ａ…係合溝（凹状部）、６７…スライド摘子、７３…ロック部（突状部）、４００Ｃ…制御ユニット、１Ｄ…第４のアクセサリー、８０…取着部、８２…カメラ装着部、９１…装置取付部、３００Ｄ…撮像ユニット、４００Ｄ…制御ユニット、１Ｅ…第５のアクセサリー、９３…装置取付部、４００Ｅ…制御ユニット
【図１】
2017115569.tif 000003
【図２】
2017115569.tif 000004
【図３】
2017115569.tif 000005
【図４】
2017115569.tif 000006
【図５】
2017115569.tif 000007
【図６】
2017115569.tif 000008
【図７】
2017115569.tif 000009
【図８】
2017115569.tif 000010
【図９】
2017115569.tif 000011
【図１０】
2017115569.tif 000012
【図１１】
2017115569.tif 000013
【図１２】
2017115569.tif 000014
【図１３】
2017115569.tif 000015
【図１４】
2017115569.tif 000016
【図１５】
2017115569.tif 000017
【図１６】
2017115569.tif 000018
【図１７】
2017115569.tif 000019
【図１８】
2017115569.tif 000020
【図１９】
2017115569.tif 000021
【図２０】
2017115569.tif 000022
【図２１】
2017115569.tif 000023
【図２２】
2017115569.tif 000024
【図２３】
2017115569.tif 000025
【図２４】
2017115569.tif 000026
【図２５】
2017115569.tif 000027
【図２６】
2017115569.tif 000028
【図２７】
2017115569.tif 000029
【図２８】
2017115569.tif 000030
【図２９】
2017115569.tif 000031
【図３０】
2017115569.tif 000032
【図３１】
2017115569.tif 000033
【図３２】
2017115569.tif 000034
【図３３】
2017115569.tif 000035
【図３４】
2017115569.tif 000036
【図３５】
2017115569.tif 000037
【図３６】
2017115569.tif 000038
【図３７】
2017115569.tif 000039
【図３８】
2017115569.tif 000040
【図３９】
2017115569.tif 000041
【図４０】
2017115569.tif 000042
【図４１】
2017115569.tif 000043
【図４２】
2017115569.tif 000044
【図４３】
2017115569.tif 000045
【図４４】
2017115569.tif 000046
【国際調査報告】
2017115569.tif 000047
2017115569.tif 000048
2017115569.tif 000049
2017115569.tif 000050